(57)【要約】ワイヤレスデバイスにおけるワイヤレス通信のための方法、システム、およびデバイスが説明される。アクセスポイント（ＡＰ）は、ワイヤレスデバイスのための保留通信を識別し、デバイス固有シーケンスを備えるウェイクアップメッセージをデバイスのコンパニオン無線機に送信し得る。デバイスは、コンパニオン無線機を使用してウェイクアップメッセージを受信し、デバイス固有シーケンスを取得するために、このメッセージを復号し、プライマリ無線機をアクティブにし得る。ウェイクアップメッセージは、プリアンブルと、信号フィールドと、データフィールドとを含み得る。いくつかのケースでは、ワイヤレスデバイスは、オン／オフキーイング（ＯＯＫ）変調を使用してウェイクアップメッセージを復調し得る。次に、ＡＰおよびデバイスは、プライマリ無線機を使用してデータを交換し得る。【選択図】  図４
2018509106.tif 000002
【特許請求の範囲】
【請求項１】
ワイヤレス通信の方法であって、
第１の無線機においてウェイクアップメッセージを受信することと、ここにおいて、前記ウェイクアップメッセージは、正および負の振幅信号で表されるビットを備える３値オン／オフキーイング（ＯＯＫ）変調を使用して変調される、
デバイス固有シーケンスを取得するために、前記ウェイクアップメッセージを復号することと、
前記デバイス固有シーケンスを復号することに少なくとも部分的に基づいて、第２の無線機をアクティブにすることと
を備える方法。
【請求項２】
前記ウェイクアップメッセージは、プリアンブルと、信号フィールドと、データフィールドとを備え、前記デバイス固有シーケンスは、前記データフィールド内に位置している、請求項１に記載の方法。
【請求項３】
前記プリアンブルは、自動利得制御（ＡＧＣ）フィールドと、擬似ランダムノイズ（ＰＮ）フィールドとを備える、請求項２に記載の方法。
【請求項４】
前記信号フィールドは、前記データフィールドの長さを示す、請求項２に記載の方法。
【請求項５】
前記データフィールドは、物理レイヤサービスデータユニット（ＰＳＤＵ）と、ゼロ値ビットのテールとを備える、請求項２に記載の方法。
【請求項６】
ワイヤレス通信の方法であって、
ワイヤレスデバイスのための保留通信を識別することと、
デバイス固有シーケンスを備えるウェイクアップメッセージを前記ワイヤレスデバイスの第１の無線機に送信することと、ここにおいて、前記ウェイクアップメッセージは、正および負の振幅で表されるビットを備える３値オン／オフキーイング（ＯＯＫ）変調を使用して変調される、
前記保留通信と前記ウェイクアップメッセージとに少なくとも部分的に基づいて、前記ワイヤレスデバイスの第２の無線機とデータを交換することと
を備える方法。
【請求項７】
前記ウェイクアップメッセージは、プリアンブルと、信号フィールドと、データフィールドとを備え、前記デバイス固有シーケンスは、前記データフィールド内に位置している、請求項６に記載の方法。
【請求項８】
前記プリアンブルは、ＡＧＣフィールドと、ＰＮフィールドとを備える、請求項７に記載の方法。
【請求項９】
前記信号フィールドは、前記データフィールドの長さを示す、請求項７に記載の方法。
【請求項１０】
前記プリアンブル、前記信号フィールド、前記データフィールド、またはそれらの任意の組み合わせのベースバンド表現のＤＣ値はゼロである、請求項７に記載の方法。
【請求項１１】
ワイヤレス通信のための装置であって、
第１の無線機においてウェイクアップメッセージを受信するための手段と、ここにおいて、前記ウェイクアップメッセージは、正および負の振幅で表されるビットを備える３値オン／オフキーイング（ＯＯＫ）変調を使用して変調される、
デバイス固有シーケンスを取得するために、前記ウェイクアップメッセージを復号するための手段と、
前記デバイス固有シーケンスを復号することに少なくとも部分的に基づいて、第２の無線機をアクティブにするための手段と
を備える装置。
【請求項１２】
前記第２の無線機は、前記第１の無線機よりも低い電力を消費する、請求項１２に記載の装置。
【請求項１３】
前記ウェイクアップメッセージは、プリアンブルと、信号フィールドと、データフィールドとを備え、前記デバイス固有シーケンスは、前記データフィールド内に位置している、請求項１１に記載の装置。
【請求項１４】
前記プリアンブルは、自動利得制御（ＡＧＣ）フィールドと、擬似ランダムノイズ（ＰＮ）フィールドとを備える、請求項１３に記載の装置。
【請求項１５】
前記信号フィールドは、前記データフィールドの長さを示す、請求項１３に記載の装置。
【請求項１６】
パリティビットは、前記信号フィールドに追加される、請求項１３に記載の装置。
【請求項１７】
前記プリアンブル、前記信号フィールド、前記データフィールド、またはそれらの任意の組み合わせのベースバンド表現のＤＣ値はゼロである、請求項１３に記載の装置。
【請求項１８】
前記データフィールドは、物理レイヤサービスデータユニット（ＰＳＤＵ）と、ゼロ値ビットのテールとを備える、請求項１３に記載の装置。
【請求項１９】
前記信号フィールド、前記データフィールド、またはそれらの任意の組み合わせは、拡散コードに少なくとも部分的に基づく、請求項１３に記載の装置。
【請求項２０】
ＯＯＫ変調を使用して前記ウェイクアップメッセージを復調するための手段をさらに備える、ここにおいて、前記ウェイクアップメッセージを復号することは、前記復調に少なくとも部分的に基づく、請求項１１に記載の装置。
【請求項２１】
前記第１の無線機は、低電力受信機である、請求項１１に記載の装置。
【請求項２２】
前記第１の無線機は、超再生受信機（ＳＲＲ）である、請求項２１に記載の装置。
【請求項２３】
前記第２の無線機は、前記第１の無線機よりも高い処理能力を有する、請求項１１に記載の装置。
【請求項２４】
ワイヤレス通信のための装置であって、
ワイヤレスデバイスのための保留通信を識別するための手段と、
デバイス固有シーケンスを備えるウェイクアップメッセージを前記ワイヤレスデバイスの第１の無線機に送信するための手段と、ここにおいて、前記ウェイクアップメッセージは、正および負の振幅信号で表されるビットを備える３値オン／オフキーイング（ＯＯＫ）変調を使用して変調される、
前記保留通信と前記ウェイクアップメッセージとに少なくとも部分的に基づいて、前記ワイヤレスデバイスの第２の無線機とデータを交換するための手段と
を備える装置。
【請求項２５】
前記ウェイクアップメッセージは、プリアンブルと、信号フィールドと、データフィールドとを備え、前記デバイス固有シーケンスは、前記データフィールド内に位置している、請求項２４に記載の装置。
【請求項２６】
前記プリアンブルは、ＡＧＣフィールドと、ＰＮフィールドとを備える、請求項２５に記載の装置。
【請求項２７】
前記信号フィールドは、前記データフィールドの長さを示す、請求項２５に記載の装置。
【請求項２８】
前記プリアンブル、前記信号フィールド、前記データフィールド、またはそれらの任意の組み合わせのベースバンド表現のＤＣ値はゼロである、請求項２５に記載の装置。
【請求項２９】
前記データフィールドは、物理レイヤサービスデータユニット（ＰＳＤＵ）と、ゼロ値ビットのテールとを備える、請求項２５に記載の装置。
【請求項３０】
前記信号フィールド、前記データフィールド、またはそれらの任意の組み合わせは、拡散コードに少なくとも部分的に基づく、請求項２５に記載の装置。
【発明の詳細な説明】
【相互参照】
【０００１】
[0001]  本願は、２０１５年３月２０日に出願された、Shellhammer等による、「PHY For Ultra-Low Power Wireless Receiver」と題する米国特許仮出願第６２／１３６，２９０号および２０１６年３月１７日に出願された、Shellhammer等による、「PHY For Ultra-Low Power Wireless Receiver」と題する米国特許出願第１５／０７３，５１９号の優先権を主張し、それらの各々が、それらの譲受人に譲渡される。
【背景技術】
【０００２】
[0002]  以下は、一般にワイヤレス通信に関し、より具体的には、超低電力ワイヤレス受信機のための物理（ＰＨＹ）レイヤに関する。
【０００３】
[0003]  ワイヤレス通信システムは、音声、ビデオ、パケットデータ、メッセージング、ブロードキャスト、等、様々なタイプの通信コンテンツを提供するために広く展開されている。これらのシステムは、利用可能なシステムリソース（例えば、時間、周波数、および電力）を共有することで複数のユーザとの通信をサポートする能力がある多元接続システムであり得る。ワイヤレスネットワーク、例えば、ワイヤレスフィデリティ（Ｗｉ−Ｆｉ）（すなわち、ＩＥＥＥ８０２．１１）ネットワークのようなワイヤレスローカルエリアネットワーク（ＷＬＡＮ）は、１つまたは複数の局（ワイヤレスデバイス）またはモバイルデバイスと通信し得るアクセスポイント（ＡＰ）を含み得る。ＡＰは、インターネットのようなネットワークに結合され得、モバイルデバイスが、そのネットワークを介して通信すること（または、アクセスポイントに結合された他のデバイスと通信すること）を可能にし得る。ワイヤレスデバイスは、双方向でネットワークデバイスと通信し得る。
【０００４】
[0004]  いくつかのケースでは、ワイヤレスデバイスは、限られた量のバッテリ電力を有し得る。ワイヤレスデバイスがスリープモードで動作している場合であっても、それは、ＡＰと通信するために、ＷＬＡＮトランシーバのような無線機を周期的にアクティブにし得る。無線機を動作することは、大量の電力を消費し得、バッテリが再充電または取り替えられなければならなくなるまでの、ワイヤレスデバイスの短い動作期間に帰着し得る。いくつかのケースでは、バッテリを再充電することまたは取り替えることが、実行可能ではない場合がある。ゆえに、無線機を周期的にアクティブにすることは、長い時間期間の間動作する能力を制限し得る。
【発明の概要】
【０００５】
[0005]  超低電力ワイヤレス受信機のための物理レイヤをサポートするシステム、方法、および装置が説明される。アクセスポイント（ＡＰ）は、ワイヤレスデバイスのための保留通信を識別し、デバイス固有シーケンスを備えるウェイクアップメッセージをデバイスのコンパニオン無線機に送信し得る。デバイスは、コンパニオン無線機を使用してウェイクアップメッセージを受信し、デバイス固有シーケンスを取得するために、このメッセージを復号し、プライマリ無線機をアクティブにし得る。ウェイクアップメッセージは、プリアンブルと、信号フィールドと、データフィールドとを含み得る。いくつかのケースでは、ワイヤレスデバイスは、３値オン／オフキーイング（ＯＯＫ）変調を使用して、ウェイクアップメッセージを復調し得る。次に、ＡＰおよびデバイスは、プライマリ無線機を使用してデータを交換し得る。
【０００６】
[0006]  ワイヤレス通信の方法が説明される。方法は、第１の無線機においてウェイクアップメッセージを受信することと、デバイス固有シーケンスを取得するために、ウェイクアップメッセージを復号することと、デバイス固有シーケンスを復号することに少なくとも部分的に基づいて、第２の無線機をアクティブにすることとを含み得る。
【０００７】
[0007]  ワイヤレス通信のための装置が説明される。装置は、第１の無線機においてウェイクアップメッセージを受信するためのウェイクアップメッセージマネジャと、デバイス固有シーケンスを取得するために、ウェイクアップメッセージを復号するためのデコーダと、デバイス固有シーケンスを復号することに少なくとも部分的に基づいて、第２の無線機をアクティブにするための無線機アクティベータとを含み得る。
【０００８】
[0008]  ワイヤレス通信のためのさらなる装置が説明される。装置は、プロセッサと、このプロセッサと電子通信状態にあるメモリと、このメモリに記憶された命令とを含み得、これら命令は、プロセッサによって実行されると、第１の無線機においてウェイクアップメッセージを受信することと、デバイス固有シーケンスを取得するために、ウェイクアップメッセージを復号することと、デバイス固有シーケンスを復号することに少なくとも部分的に基づいて、第２の無線機をアクティブにすることとを装置にさせるように動作可能である。
【０００９】
[0009]  ワイヤレス通信のためのコードを記憶する非一時的なコンピュータ読取可能な媒体が説明される。コードは、第１の無線機においてウェイクアップメッセージを受信することと、デバイス固有シーケンスを取得するために、ウェイクアップメッセージを復号することと、デバイス固有シーケンスを復号することに少なくとも部分的に基づいて、第２の無線機をアクティブにすることとを行うために実行可能な命令を含み得る。
【００１０】
[0010]  本明細書で説明される方法、装置、または非一時的なコンピュータ読取可能な媒体のいくつかの例では、ウェイクアップメッセージは、プリアンブルと、信号フィールドと、データフィールドとを備え、ここにおいて、デバイス固有シーケンスは、データフィールド内に位置している。追加的または代替的に、いくつかの例では、プリアンブルは、自動利得制御（ＡＧＣ）フィールドと、擬似ランダムノイズ（ＰＮ）フィールドとを備える。
【００１１】
[0011]  本明細書で説明される方法、装置、または非一時的なコンピュータ読取可能な媒体のいくつかの例では、信号フィールドは、データフィールドの長さを示す。追加的または代替的に、いくつかの例では、プリアンブル、信号フィールド、データフィールド、またはそれらの任意の組み合わせのベースバンド表現のＤＣ値はゼロである。本明細書で説明される方法、装置、または非一時的なコンピュータ読取可能な媒体のいくつかの例では、ウェイクアップメッセージは、正および負の振幅信号で表されるビットを備える３値ＯＯＫ変調を使用して変調される。いくつかの例は、２値ＯＯＫ変調を使用して、３値ＯＯＫを用いて変調されたウェイクアップメッセージを復調することを含み、ここにおいて、ウェイクアップメッセージを復号することは、復調に少なくとも部分的に基づく。
【００１２】
[0012]  本明細書で説明される方法、装置、または非一時的なコンピュータ読取可能な媒体のいくつかの例では、データフィールドは、物理レイヤサービスデータユニット（ＰＳＤＵ）と、ゼロ値ビットのテールとを備える。追加的または代替的に、いくつかの例では、信号フィールド、データフィールド、またはそれらの任意の組み合わせは、拡散コードに少なくとも部分的に基づく。
【００１３】
[0013]  本明細書で説明される方法、装置、または非一時的なコンピュータ読取可能な媒体のいくつかの例は、ＯＯＫ変調を使用してウェイクアップメッセージを復調するためのプロセス、特徴、手段、または命令をさらに含み得、ここにおいて、ウェイクアップメッセージを復号することは、復調に少なくとも部分的に基づく。追加的または代替的に、いくつかの例では、第１の無線機は、低電力受信機である。
【００１４】
[0014]  本明細書で説明される方法、装置、または非一時的なコンピュータ読取可能な媒体のいくつかの例では、第１の無線機は、超再生受信機（ＳＲＲ）である。追加的または代替的に、いくつかの例では、第２の無線機は、第１の無線機よりも高い処理能力を有する。
【００１５】
[0015]  本明細書で説明される方法、装置、または非一時的なコンピュータ読取可能な媒体のいくつかの例では、第２の無線機は、ＷＬＡＮ無線機またはワイヤレス広域ネットワーク（ＷＷＡＮ）無線機である。
【００１６】
[0016]  ワイヤレス通信の方法が説明される。方法は、ワイヤレスデバイスのための保留通信を識別することと、ウェイクアップメッセージをワイヤレスデバイスの第１の無線機に送信することと、保留通信とウェイクアップメッセージとに少なくとも部分的に基づいて、ワイヤレスデバイスの第２の無線機とデータを交換することとを含み得る。
【００１７】
[0017]  ワイヤレス通信のための装置が説明される。装置は、ワイヤレスデバイスのための保留通信を識別するための保留通信マネジャと、ウェイクアップメッセージをワイヤレスデバイスの第１の無線機に送信するためのＢＳウェイクアップメッセージマネジャと、保留通信とウェイクアップメッセージとに少なくとも部分的に基づいて、ワイヤレスデバイスの第２の無線機とデータを交換するための通信マネジャとを含み得る。
【００１８】
[0018]  ワイヤレス通信のためのさらなる装置が説明される。装置は、プロセッサと、このプロセッサと電子通信状態にあるメモリと、このメモリに記憶された命令とを含み得、これら命令は、プロセッサによって実行されると、ワイヤレスデバイスのための保留通信を識別することと、ウェイクアップメッセージをワイヤレスデバイスの第１の無線機に送信することと、保留通信とウェイクアップメッセージとに少なくとも部分的に基づいて、ワイヤレスデバイスの第２の無線機とデータを交換することとを装置にさせるように動作可能である。
【００１９】
[0019]  ワイヤレス通信のためのコードを記憶する非一時的なコンピュータ読取可能な媒体が説明される。コードは、ワイヤレスデバイスのための保留通信を識別することと、ウェイクアップメッセージをワイヤレスデバイスの第１の無線機に送信することと、保留通信とウェイクアップメッセージとに少なくとも部分的に基づいて、ワイヤレスデバイスの第２の無線機とデータを交換することとを行うために実行可能な命令を含み得る。
【００２０】
[0020]  本明細書で説明される方法、装置、または非一時的なコンピュータ読取可能な媒体のいくつかの例では、ウェイクアップメッセージは、プリアンブルと、信号フィールドと、データフィールドとを備え、ここにおいて、デバイス固有シーケンスは、データフィールド内に位置している。追加的または代替的に、いくつかの例では、プリアンブルは、ＡＧＣフィールドと、ＰＮフィールドとを備える。
【００２１】
[0021]  本明細書で説明される方法、装置、または非一時的なコンピュータ読取可能な媒体のいくつかの例では、信号フィールドは、データフィールドの長さを示す。いくつかの例では、データフィールドの長さは、媒体アクセス制御（ＭＡＣ）フレームの長さをバイトで示す。いくつかの例では、パリティビットは、信号フィールドに追加され、次に、信号フィールドは、３反復（repetition-by-three）順方向誤り訂正（ＦＥＣ）コードで符号化される。追加的または代替的に、いくつかの例では、プリアンブル、信号フィールド、データフィールド、またはそれらの任意の組み合わせのベースバンド表現のＤＣ値はゼロである。
【００２２】
[0022]  本明細書で説明される方法、装置、または非一時的なコンピュータ読取可能な媒体のいくつかの例では、データフィールドは、物理レイヤサービスデータユニット（ＰＳＤＵ）と、ゼロ値ビットのテールとを備える。追加的または代替的に、いくつかの例では、信号フィールド、データフィールド、またはそれらの任意の組み合わせは、拡散コードに少なくとも部分的に基づく。
【００２３】
[0023]  本明細書で説明される方法、装置、または非一時的なコンピュータ読取可能な媒体のいくつかの例は、ＯＯＫ変調を使用してウェイクアップメッセージを変調するためのプロセス、特徴、手段、または命令をさらに含み得、ここにおいて、ウェイクアップメッセージを送信することは、変調に少なくとも部分的に基づく。追加的または代替的に、いくつかの例では、第１の無線機は、低電力受信機である。
【００２４】
[0024]  本明細書で説明される方法、装置、または非一時的なコンピュータ読取可能な媒体のいくつかの例では、第１の無線機は、超再生受信機（ＳＲＲ）である。追加的または代替的に、いくつかの例では、第２の無線機は、第１の無線機よりも高い処理能力を有する。
【００２５】
[0025]  本明細書で説明される方法、装置、または非一時的なコンピュータ読取可能な媒体のいくつかの例では、第２の無線機は、ＷＬＡＮ無線機またはＷＷＡＮ無線機である。
【００２６】
[0026]  前述は、以下に続く詳細な説明がより良く理解され得るように、本開示に係る例の特徴および技術的利点をどちらかといえば広く概説している。追加の特徴および利点が以下で説明されるであろう。開示される概念および特定の例は、本開示と同じ目的を果たすために他の構造を設計または修正することの基礎として容易に利用され得る。このような等価な構造は、添付の特許請求の範囲から逸脱しない。本明細書で開示される概念の特性は、関連する利点とともに、それらの構成および動作方法の両方に関して、添付の図に関連して考慮された場合、以下の説明からより一層理解されるであろう。図の各々は、特許請求の範囲の限界の定義としてではなく、例示および説明の目的で提供される。
【００２７】
[0027]  本開示の性質および利点のさらなる理解が、以下の図面を参照することで実現され得る。添付の図では、同様の構成要素または特徴は、同じ参照ラベルを有し得る。さらに、同じタイプの様々な構成要素は、参照ラベルの後に続く、ダッシュと、これら同様の構成要素を区別する第２のラベルとによって区別され得る。第１の参照ラベルだけが本明細書で使用される場合、その説明は、第２の参照ラベルに関係なく、同じ第１の参照ラベルを有する同様の構成要素のいずれに対しても適用可能である。
【図面の簡単な説明】
【００２８】
【図１】本開示の様々な態様に従って構成された超低電力ワイヤレス受信機の物理（ＰＨＹ）レイヤのための（ワイヤレスフィデリティ（Ｗｉ−Ｆｉ）ネットワークとしても知られている）ワイヤレスローカルエリアネットワーク（ＷＬＡＮ）を例示する。
【図２】本開示の様々な態様に係る、超低電力ワイヤレス受信機のためのＰＨＹレイヤをサポートするワイヤレス通信サブシステムの例を例示する。
【図３】本開示の様々な態様に係る、超低電力ワイヤレス受信機のためのＰＨＹレイヤをサポートするメッセージフォーマットの例を例示する。
【図４】本開示の様々な態様に係る、超低電力ワイヤレス受信機のためのＰＨＹレイヤをサポートするビット変換の例を例示する。
【図５】本開示の様々な態様に係る、超低電力ワイヤレス受信機のためのＰＨＹレイヤをサポートするプロセスフローの例を例示する。
【図６】本開示の様々な態様に係る、超低電力ワイヤレス受信機のためのＰＨＹレイヤをサポートするワイヤレスデバイスのブロック図を示す。
【図７】本開示の様々な態様に係る、超低電力ワイヤレス受信機のためのＰＨＹレイヤをサポートするワイヤレスデバイスのブロック図を示す。
【図８】本開示の様々な態様に係る、超低電力ワイヤレス受信機のためのＰＨＹレイヤをサポートするワイヤレスデバイスのブロック図を示す。
【図９】本開示の様々な態様に係る、超低電力ワイヤレス受信機のためのＰＨＹレイヤをサポートする局（ワイヤレスデバイス）を含むシステムのブロック図を例示する。
【図１０】本開示の様々な態様に係る、超低電力ワイヤレス受信機のためのＰＨＹレイヤをサポートするワイヤレスデバイスのブロック図を示す。
【図１１】本開示の様々な態様に係る、超低電力ワイヤレス受信機のためのＰＨＹレイヤをサポートするワイヤレスデバイスのブロック図を示す。
【図１２】本開示の様々な態様に係る、超低電力ワイヤレス受信機のためのＰＨＹレイヤをサポートするワイヤレスデバイスのブロック図を示す。
【図１３】本開示の様々な態様に係る、超低電力ワイヤレス受信機のためのＰＨＹレイヤをサポートするアクセスポイント（ＡＰ）を含むシステムのブロック図を例示する。
【図１４】本開示の様々な態様に係る、超低電力ワイヤレス受信機のためのＰＨＹレイヤのための方法を例示する。
【図１５】本開示の様々な態様に係る、超低電力ワイヤレス受信機のためのＰＨＹレイヤのための方法を例示する。
【図１６】本開示の様々な態様に係る、超低電力ワイヤレス受信機のためのＰＨＹレイヤのための方法を例示する。
【図１７】本開示の様々な態様に係る、超低電力ワイヤレス受信機のためのＰＨＹレイヤのための方法を例示する。
【詳細な説明】
【００２９】
[0038]  図の以下の説明は、超低電力ワイヤレス受信機のための物理（ＰＨＹ）レイヤの様々な態様を例示する。本開示の態様は、ワイヤレスローカルエリアネットワーク（ＷＬＡＮ）のコンテキストで説明されるが、開示される方法および装置は、他のワイヤレス技術でも使用され得る。本開示によれば、ネットワークのアクセスポイント（ＡＰ）（または、別の送信側デバイス）は、受信側ワイヤレスデバイスのための保留通信を識別し、デバイス固有シーケンスを備えるウェイクアップメッセージを受信側デバイスのコンパニオン無線機に送信し得る。受信側デバイスは、コンパニオン無線機を使用してウェイクアップメッセージを受信し、デバイス固有シーケンスを取得するために、このメッセージを復号し、プライマリ無線機をアクティブにし得る。ＰＨＹレイヤで使用されるメッセージフォーマットの態様もまた説明される。具体的には、ウェイクアップメッセージは、プリアンブルと、信号フィールドと、データフィールドとを含み得る。いくつかのケースでは、ワイヤレスデバイスは、オン／オフキーイング（ＯＯＫ）変調を使用してウェイクアップメッセージを復調し得る。本開示の態様はまた、プロセスフロー図、ブロック図、およびフローチャートを使用して説明される。
【００３０】
[0039]  図１は、本開示の様々な態様に従って構成された（Ｗｉ−Ｆｉネットワークとしても知られている）ＷＬＡＮ１００を例示する。ＷＬＡＮ１００は、超低電力ワイヤレス受信機のためのＰＨＹレイヤが使用され得るネットワークの例であるが、他のネットワークもまた本開示の態様を利用し得る。一実施形態では、超低電力ワイヤレス受信機は、「ウェイクアップ受信機」（ＷｕＲＸ）とも呼ばれ得、ここで、超低電力ワイヤレス受信機は、第１の（例えば、主要の）トランシーバよりも少ない電力を消費する。
【００３１】
[0040]  ＰＨＹレイヤは、開放型システム間相互接続（ＯＳＩ）モデルの物理レイヤであり、物理レイヤ機能を実現するために必要とされる回路を指し得る。Ｗｉ−Ｆｉネットワークでは、ＰＨＹレイヤは、無線周波数（ＲＦ）と、混合信号およびアナログ部分（例えば、トランシーバ）と、チャネルコードを含む、デジタルシグナルプロセッサ（ＤＳＰ）および通信アルゴリズム処を使用するデジタルベースバンド部分とから成り得る。いくつかの具体例では、ＰＨＹレイヤは、システムオンチップ（ＳＯＣ）実現において媒体アクセス制御（ＭＡＣ）レイヤと統合され得る。
【００３２】
[0041]  ＷＬＡＮ１００は、ＡＰ１０５と、モバイル局、携帯情報端末（ＰＤＡ）、他のハンドヘルドデバイス、ネットブック、ノートブックコンピュータ、タブレットコンピュータ、ラップトップ、ディスプレイデバイス（例えば、ＴＶ、コンピュータモニタ、等）、プリンタ、等のデバイスを表し得る、複数の関連ワイヤレスデバイス１１５とを含み得る。ＡＰ１０５および関連ワイヤレスデバイス１１５は、基本サービスセット（ＢＳＳ）または拡張サービスセット（ＥＳＳ）を表し得る。ネットワーク内の様々なワイヤレスデバイス１１５は、ＡＰ  １０５を通じて互いに通信することが可能である。ＡＰ１０５のカバレッジエリア１１０も示されており、これは、ＷＬＡＮ１００の基本サービスエリア（ＢＳＡ）を表し得る。ＷＬＡＮ１００に関連付けられた拡張されたネットワーク局（図示されない）は、ＥＳＳにおいて複数のＡＰ１０５が接続されることを可能にし得るワイヤードまたはワイヤレスの配信システム（ＤＳ）に接続され得る。
【００３３】
[0042]  図１には示されていないが、ワイヤレスデバイス１１５は、１つよりも多くのカバレッジエリア１１０の交差部分に位置し得、１つよりも多くのＡＰ１０５に関連付けられ得る。単一のＡＰ１０５およびワイヤレスデバイス１１５の関連セットは、ＢＳＳと呼ばれ得る。ＥＳＳは、接続されたＢＳＳのセットである。配信システム（ＤＳ）（図示されない）は、ＥＳＳにおいてＡＰ１０６を接続するために使用され得る。いくつかのケースでは、ＡＰ１０５のカバレッジエリア１１０は、セクタ（これもまた図示されない）へと分割され得る。ＷＬＡＮ１００は、異なるタイプ（例えば、メトロポリタンエリア、ホームネットワーク、等）のＡＰ１０５を含み得、ここで、カバレッジエリア１１０は、様々であり、重なりあっている。２つのワイヤレスデバイス１１５はまた、両方のワイヤレスデバイス１１５が同じカバレッジエリア１１０内にあるかどうかに関わらず、ダイレクトワイヤレスリンク１２５を介して直接通信し得る。ダイレクトワイヤレスリンク１２０の例は、Ｗｉ−Ｆｉダイレクト接続、Ｗｉ−Ｆｉのトンネルダイレクトリンク設定（ＴＤＬＳ）リンク、および他のグループ接続を含み得る。
【００３４】
[0043]  いくつかのケースでは、ワイヤレスデバイス１１５は、電力を節約するために、スリープモードに入り得る。次に、デバイスは、デリバリトラフィックインジケーションメッセージ（ＤＴＩＭ）を受信するために周期的にウェイクし得る。ワイヤレスデバイス１１５は、ＤＴＩＭ受信に使用される無線構成要素をアクティブにするのに十分早くウェイクし得る。いくつかのケースでは、ワイヤレスデバイス１１５はまた、ＡＰ１０５との起こり得るタイミング非同期化を考慮するために早くウェイクし得る。ＤＴＩＭが、予想される時間に受信されない場合、ワイヤレスデバイス１１５は、ビーコンミスタイマが満了するのを待ち得る。ＤＴＩＭ（または、標準的なトラフィックインジケーションメッセージ（ＴＩＭ））が受信される場合、ワイヤレスデバイス１１５は、ＣＡＢ（content after beacon）タイマが満了するまで、示された送信を待ち得る。どちらかのタイマが満了すると、ワイヤレスデバイス１１５は、スリープモードに再度入り、次の予期されるＤＴＩＭ／ビーコンを待ち得る。いくつかのケースでは、ＤＴＩＭを受信するために無線機をアクティブおよび非アクティブにすることは、依然として、（モノのインターネット（ＩＯＴ）ネットワークの一部である、バッテリにより電力供給されているデバイスのような）電力制限付デバイスのバッテリを使い果たし得る。ゆえに、通信に使用されるプライマリ無線機１１６に加えて、低電力コンパニオン無線機１１７が使用され得る。
【００３５】
[0044]  低電力無線機は、プライマリ無線機１１６とは異なる変調スキームを利用し得る。変調は、周期波形のプロパティ（例えば、周波数、振幅、および位相）を修正することでデジタル信号を表すプロセスである。復調は、修正された波形を得て（take）、デジタル信号を生成する。変調された波形は、シンボルとして知られている時間単位へと分割され得る。各シンボルは、別々に変調され得る。異種のシンボルを送信するために狭周波数サブキャリアを使用するワイヤレス通信システムでは、変調は、各シンボルの位相および振幅を変動させることで達成される。例えば、ＢＰＳＫ変調スキームは、位相オフセットなしに送信される波形と１８０度のオフセットを伴って送信される波形とを交互に行うことで情報を伝達する（すなわち、各シンボルは単一ビットの情報を伝達する）。ＱＡＭスキームでは、（同相成分Ｉおよび直交成分Ｑとして知られている）２つのキャリア信号が、９０度の位相オフセットを伴って送信され得、各信号は、有限セットから選択された特定の振幅を伴って送信され得る。振幅ビンの数は、各シンボルによって伝達されるビット数を決定する。本開示のいくつかの例では、超低電力ワイヤレス受信機のためのＰＨＹレイヤは、オン／オフキーイング（ＯＯＫ）変調および復調を利用し得る。ＯＯＫは、振幅変調の例であり得、ここで、情報は、（信号のＯＮ部分については）所与の振幅で、（信号のＯＦＦ部分については）ゼロ振幅で単に送信することで、伝達される。
【００３６】
[0045]  本開示によれば、ＡＰ１０５は、ワイヤレスデバイス１１５のための保留通信を識別し、デバイス固有シーケンスを備えるウェイクアップメッセージをワイヤレスデバイス１１５のコンパニオン無線機１１７に送信し得る。ワイヤレスデバイス１１５は、コンパニオン無線機１１７を使用してウェイクアップメッセージを受信し、デバイス固有シーケンスを取得するために、このメッセージを復号し、プライマリ無線機１１６をアクティブにし得る。ウェイクアップメッセージは、ＯＯＫ変調に基づき得るプリアンブルと、信号フィールドと、データフィールドとを含み得る。いくつかのケースでは、コンパニオン無線機１１７のためのＰＨＹレイヤの設計は、アンライセンス周波数スペクトルにおける動作に基づき得る。例えば、これは、電力スペクトル密度（ＰＳＤ）表現のピークを下回る所与の電力について、閾値帯域幅よりもよりも大きいものを達成するように設計され得る。
【００３７】
[0046]  図２は、本開示の様々な態様に係る、コンパニオン無線機１１７のためのＰＨＹレイヤのためのワイヤレス通信サブシステム２００の例を例示する。ワイヤレス通信サブシステム２００は、ワイヤレスデバイス１１５−ａとＡＰ１０５−ａとを含み得、これは、図１に関連して本明細書で説明されたワイヤレスデバイス１１５およびＡＰ１０５の例であり得る。ＡＰ１０５−ａは、第１の接続２０５を使用して、デバイス固有シーケンスを備えるウェイクアップメッセージを送信することで、ワイヤレスデバイス１１５−ａとの通信を開始し得る。一旦ワイヤレスデバイス１１５−ａがそのプライマリ無線機１１６をアクティブにすると、第１の接続２０５よりも高いスループットが可能であり得る第２の接続２１０を通して、データが交換され得る。あるモードでは、低電力受信機は、ウェイクアップメッセージをリスンし、最も低い電力の状態にされているプライマリ無線機をウェイクアップし得る。別のモードでは、低電力受信機は、低電力通信のためにプライマリ無線機から独立して使用され得る（例えば、低電力受信機は、バッテリによって電力を受ける、モノのインターネット（ＩｏＴ）デバイスで使用され得る）。
【００３８】
[0047]  ワイヤレスデバイス１１５−ａは、電力を節約するために、低電力状態でその時間の一部を費やし得る。ワイヤレスデバイス１１５−ａはまた、プライマリ無線機１１６およびコンパニオン無線機１１７の両方が備わっている。コンパニオン無線機１１７は、超再生受信機のような低電力無線機であり得、そのため、ワイヤレスデバイス１１５−ａは、周期的なＤＴＩＭまたはページングメッセージを受信するために、より多くの電力を消費するプライマリ無線機１１６をアクティブにすることを回避し得る。代わりに、ＡＰ１０５−ａは、第１の接続２０５を通して、デバイス固有シーケンスを備えるウェイクアップメッセージをワイヤレスデバイス１１５−ａのコンパニオン無線機１１７に送信し得る。第１の接続２０５のＰＨＹレイヤは、特に、低電力無線機での使用のために設計され得る。例えば、それは、低減されたデータレートを有し得、ＯＯＫ変調に基づき得る。ワイヤレスデバイス１１５−ａがウェイクアップメッセージを受信する場合、それは、プライマリ無線機１１６（例えば、８０２．１１規格に基づくＷＬＡＮ無線機）をアクティブにし、プライマリ無線機１１６を使用してＡＰ１０５−ａと通信し得る。
【００３９】
[0048]  図３は、本開示の様々な態様に係る、超低電力ワイヤレス受信機のためのＰＨＹレイヤについてのメッセージフォーマット３００の例を例示する。メッセージフォーマット３００は、超再生受信機（ＳＲＲ）のような低電力受信機による使用のために設計され得、図１−２に関連して本明細書で説明されたように、ワイヤレスデバイス１１５またはＡＰ１０５によって使用され得る。一実施形態において、ＳＲＲは、単一デバイス回路利得を提供するために、同じ段内でまたは第２の発振状態でより低い周波数の発振を使用できる受信機であり得る。第２の発振段は、主要な無線周波数発振を周期的にインタラプトし得る。各インタラプトの後、無線周波数発振は、指数関数的に増大し得、ここにおいて、インタラプトサイクルの終わりに到達する振幅は、最初に受信された信号の強度に依存し得る。
【００４０】
[0049]  メッセージフォーマット３００は、ウェイクアップメッセージ３０５に対して使用され得、これは、プリアンブル３１０と、信号フィールド３１５と、データフィールド３２０とを含み得る。プリアンブル３１０は、送信がウェイクアップメッセージ３０５であることを示すためにまたは受信機の同期化を可能にするために使用され得る。例えば、プリアンブル３１０は、自動利得制御（ＡＧＣ）フィールドを含み得、これは、１２個のシンボルを含み得る。プリアンブル３１０はまた、付加的なゼロビットが追加されている長さ５１１の最大長シーケンスのような擬似ランダムノイズ（ＰＮ）シーケンスを含み得る。ゆえに、いくつかの例では、プリアンブル３１０は、５２４個のシンボル（例えば、ＯＯＫシンボル）から成り得る。しかしながら、この数は、単なる例であり、他の数またはシンボルも使用され得る。
【００４１】
[0050]  信号フィールド３１５は、データフィールド３２０の長さインジケーション３２５を含み得る。いくつかのケースでは、パリティビットは、信号フィールドに追加される。パリティビットは、信号フィールド３１５を復号する際のビット誤差の検出のために使用され得る。いくつかのケースでは、パリティビットは、排他的ＯＲ（ＸＯＲ）関数を使用して生成され得る。さらなるケースでは、信号フィールドは、３反復コードのような順方向誤り訂正（ＦＥＣ）符号化を使用して符号化され得る。各コードビットはまた、拡散コードを使用して複数のシンボルにマッピングされ得る。例えば、各ビットは、８つのＯＯＫシンボルで表され得る。しかしながら、この数は、単なる例であり、他の数またはシンボルも使用され得る。
【００４２】
[0051]  データフィールド３２０は、例えば、受信側デバイスについてのデバイス識別子、またはプライマリ無線機上で交換されることとなるデータを示すインジケーションを含む、メッセージペイロードを含み得る。いくつかのケースでは、ペイロードは、物理レイヤサービスデータユニット（ＰＳＤＵ）３３０に含まれる。データフィールド３２０はまた、テール３３５を含み得、これは、ＰＳＤＵ３３０の終わりに追加されるゼロビットの数を含み得る。いくつかのケースでは、長さインジケーション３２５で信号フィールド３１５を復号することは、データフィールド３２０の復号を可能にし得る。いくつかのケースでは、データフィールド３２０のビットはまた、各ビットが複数のシンボルを使用して表されるように、拡散コードを使用して符号化され得る。いくつかのケースでは、信号フィールド３１５またはデータフィールド３２０に対して使用される拡散コードは、「０」ビットに対してＯＯＫシンボルの第１のセットを、「１」ビットに対してシンボルの第２のセットを組み込み得る。異なるビットに対するシンボルのセットは、直交であり得、各セットのベースバンド表現が、ゼロ直流（ＤＣ）値を有し得るように送信され得る。
【００４３】
[0052]  ゼロＤＣ値を達成するために、または、所望のパルス形状を達成するために、３値ＯＯＫ変調が送信機において使用され得る。すなわち、「１」ＯＯＫシンボルの半分が、ベースバンドにおいて「−１」シンボルと置き換えられる。ゆえに、ベースバンド信号がＲＦキャリアによって変調されるとき、キャリア周波数では周波数ドメインにおいてインパルスがほとんどまたは全く存在しないであろう。これは、信号帯域幅が、例えば、電力スペクトル密度（ＰＳＤ）のピークの６ｄＢ下で測定されるため、アンライセンス周波数帯域において重要であり得、典型的なＯＯＫ波形のケースでは、これは、超低帯域幅に帰着し得る。いくつかのアンライセンス周波数帯域（例えば、９００ＭＨｚおよび２．４ＧＨｚ帯域）では、超低電力レベルよりも上で送信するために、信号帯域幅は、５００ｋＨｚよりも大きくなるようにより大きくされ得る。キャリア周波数での周波数ドメインインパルスの３値ＯＯＫ除去は、信号帯域幅が閾値（例えば、５００ｋＨｚ）よりも大きくなることを可能にし得、ゆえに、この閾値よりも大きいピーク帯域幅からの特定のｄＢについての規制上の要件を満たす。
【００４４】
[0053]  低電力受信機は、受信信号のエンベロープからサンプルを復元し得、この信号の大きさだけを測定し得、位相情報を少しも検出できない。ゆえに、超再生受信機において、「１」および「−１」の両方のＯＯＫシンボルが、「１」のＯＯＫシンボルとして検出され得る。例として、３値ＯＯＫシンボル｛０，１，１，０，０，−１，−１，０｝の送信シーケンスは、低電力受信機において｛０，１，１，０，０，１，１，０｝として受信され得る。一例では、ＰＨＹレイヤは、最大長シーケンスを、２値最大長シーケンスとして低電力受信機では受信され得る３値ＯＯＫシンボルのシーケンスへと変換することで、３値ＯＯＫを利用し得る。
【００４５】
[0054]  いくつかの例では、拡散スペクトルの拡散と順方向誤り訂正のコード化が、データレートを低くするために使用され得、ゆえに、閾値帯域幅よりも大きいという規制上の要件を満たすための（例えば、５００ｋＨｚの）ボーレートを維持しつつ、受信機感度を高める。例えば、８倍で拡散することは、高められた感度を提供するだけではなく、送信機におけるビットスクランブリングの手間を省くために、受信機において十分なシンボル遷移も提供し得る。ゆえに、いくつかの例では、全体的なＰＨＹパケット構造は、ＡＧＣフィールドと、３値最大長シーケンスと、コード化および拡散された信号フィールドと、コード化および拡散されたデータフィールドとを含み得る。
【００４６】
[0055]  いくつかのケースでは、データフィールド３２０は、例えば、１／２のコード化レートで、畳み込みコードを使用して符号化され得る。しかしながら、この数は、単なる例であり、他のコード化レートも使用され得る。いくつかのケースでは、送信機は、データおよびテールビットとＬＥＮＧＴＨフィールドを連結させ、レート１／２の畳み込みコードを用いて、連結されたセグメントを符号化し得る。いくつかのケースでは、メッセージフォーマット３００を使用して生成されたメッセージはまた、送信の前にパルス成形フィルタによって処理され、無線周波数（ＲＦ）にアップコンバートされ、中央周波数とクロック周波数の公差に基づいて送信され得る。
【００４７】
[0056]  図４は、本開示の様々な態様に係る、超低電力ワイヤレス受信機のためのＰＨＹレイヤのためのプロセスフロー４００の例を例示する。プロセスフロー４００は、図１−２に関連して本明細書で説明されたデバイスの例であり得る、ワイヤレスデバイス１１５−ｂおよびＡＰ１０５−ｂの動作を表し得る。いくつかのケースでは、ＡＰ１０５−ｂによって行われているとして説明される動作は、ピアメッシュネットワーク内のまたはデバイスツーデバイス（Ｄ２）通信状態にあるような別のワイヤレスデバイス１１５によって行われ得る。
【００４８】
[0057]  ４０５において、ワイヤレスデバイス１１５−ｂは、低電力モードで（例えば、スリープ状態で）動作し得る。より低い電力モードでは、ワイヤレスデバイスは、ページングメッセージまたはＤＴＩＭを受信するために連続的にまたは周期的に低電力コンパニオン無線機を動作し、第２のプライマリ無線機を非アクティブにし得る。いくつかの例では、第１の無線機は、コンパニオン無線機であり、これは、超再生受信機（ＳＲＲ）を含み得る。いくつかの例では、第２の無線機は、第１の無線機よりも高い処理能力を有する。いくつかの例では、第２の無線機は、ＷＬＡＮ無線機またはワイヤレス広域ネットワーク（ＷＷＡＮ）無線機である。
【００４９】
[0058]  ４１０において、ＡＰ１０５−ｂは、ウェイクアップメッセージを送信し得、ワイヤレスデバイス１１５は、それを、第１の無線機において（例えば、コンパニオン無線機において）受信し得る。いくつかの例では、ウェイクアップメッセージは、プリアンブルと、信号フィールドと、データフィールドとを備え、ここにおいて、デバイス固有シーケンスは、データフィールド内に位置している。いくつかの例では、プリアンブルは、自動利得制御（ＡＧＣ）フィールドと、擬似ランダムノイズ（ＰＮ）フィールドとを備える。いくつかの例では、信号フィールドは、データフィールドの長さを示す。いくつかの例では、プリアンブル、信号フィールド、データフィールド、またはそれらの任意の組み合わせのベースバンド表現のＤＣ値はゼロである。いくつかの例では、データフィールドは、物理レイヤサービスデータユニット（ＰＳＤＵ）と、ゼロ値ビットのテールとを備える。いくつかの例では、信号フィールド、データフィールド、またはそれらの任意の組み合わせは、拡散コードに少なくとも部分的に基づく。
【００５０】
[0059]  いくつかのケースでは、ＡＰ１０５−ｂは、ウェイクアップメッセージを送信する前にワイヤレスデバイス１１５−ｂのための保留通信を識別し得る。
【００５１】
[0060]  ワイヤレスデバイス１１５−ｂは、オン／オフキーイング（ＯＯＫ）変調を使用してウェイクアップメッセージを復調し得、ここにおいて、ウェイクアップメッセージを復号することは、復調に少なくとも部分的に基づく。
【００５２】
[0061]  ４１５において、ワイヤレスデバイス１１５−ｂは、ウェイクアップメッセージプリアンブルを識別し得、これは、送信がウェイクアップメッセージであるとそれが決定することを可能にし得る。
【００５３】
[0062]  ４２０において、ワイヤレスデバイス１１５−ｂは、データフィールドの長さを決定するために、ウェイクアップメッセージの信号フィールドを復号し得る。
【００５４】
[0063]  ４２５において、ワイヤレスデバイス１１５−ｂは、デバイス固有シーケンスを取得するために、ウェイクアップメッセージのデータフィールドまたは別のフィールドを復号し得る。
【００５５】
[0064]  ４３０において、ワイヤレスデバイス１１５−ｂは、デバイス固有シーケンスを復号することに少なくとも部分的に基づいて、第２の無線機をアクティブにし得る。
【００５６】
[0065]  ４３５において、ＡＰ１０５−ｂおよびワイヤレスデバイス１１５−ｂは、保留通信とウェイクアップメッセージとに少なくとも部分的に基づいて、ワイヤレスデバイス１１５−ｂの第２の無線機とデータを交換し得る。
【００５７】
[0066]  図４は、本開示の様々な態様に係る、超低電力ワイヤレス受信機のためのＰＨＹレイヤをサポートするビット変換５００の例を例示する。ビット変換５００は、２値ＯＯＫ入力５０５−ａおよび５０５−ｂと、変換５１０−ａおよび５１０−ｂと、３値ＯＯＫ出力５１５−ａおよび５１５−ｂとを含み得る。
【００５８】
[0067]  いくつかの規制ドメインでは、いくつかのアンライセンス帯域におけるワイヤレス送信に対して最小帯域幅制約が存在し得る。ＲＦ信号のデジタル変調であり得る、ＯＯＫのいくつかのバージョンでは、周波数ドメインにおいて、キャリア周波数に強い信号が存在し得る。これは、信号が、周波数ドメインにおいてピーク値にあるよりも６ｄＢ低い（すなわち、６ｄＢ下である）時点で測定されるときの狭帯域信号の原因となり得る（lead to）。そのため、ＯＯＫ信号の帯域幅は、狭帯域であり得、ゆえに、最小帯域幅規格を満たさないであろう。これは、６ｄｂ帯域幅が周波数ドメインにおける強いキャリア信号によって制御され得るため、変調レートが増加されるときでさえも当てはまり得る。ゆえに、ＯＯＫのいくつかのバージョンは、規制機関によって定められている最小帯域幅規格を満たさないであろう。または、いくつかのケースでは、許可された送信電力は非常に低い可能性があり、これは、ワイヤレスシステムのための狭い範囲（poor range）の原因となる。
【００５９】
[0068]  しかしながら、いくつかのケースでは、ワイヤレス通信デバイスは、ＳＲＲのような低電力受信機の特性を利用し得、ここでは、受信機は、ＲＦ信号のエンベロープを検出するが、異なる位相を有する２つの異なるＲＦ信号を区別しない。例えば、低電力受信機は、以下の２つの信号について同じ値を検出し得る：
ｓ１＝ｓｉｎ（２πｆ０ｔ）
ｓ２＝ｓｉｎ（２πｆ０ｔ＋π）＝−ｓｉｎ（２πｆ０）
【００６０】
[0069]  ＯＯＫでは、信号の２つの振幅Ａおよび０を有し得、ここで、Ａは、平均の送信電力に基づき得る。平均の送信電力にのみ依存するＡが取り除かれる場合、２つの振幅１および０が存在するということができる。
【００６１】
[0070]  ゆえに、変換５１０−ａは、π（すなわち、１８０度）の位相差が存在するように、「１」ＯＯＫシンボルのうちのいくつかを「−１」シンボルにマッピングし得る。ＲＦ信号上には３つの実際の振幅−１、０および１を有するが、これは、２つの論理値１および０を有するものと考えることができる。送信機において、論理１の半分は、実際の振幅１にマッピングされ得、論理１の半分は、実際の振幅−１にマッピングされる。
【００６２】
[0071]  ゆえに、ベースバンドにおいて、以下のマッピングを有し得る：論理１の半分が振幅１にマッピングされ、論理１の半分が振幅−１にマッピングされるため、ベースバンド信号における平均電力はゼロであり得る。ＲＦにおいて、３つのＲＦシンボルが存在し得る：
Ａ  ｓｉｎ（２πｆ０ｔ）
Ａ  ｓｉｎ（２πｆ０ｔ＋π）
０
【００６３】
[0072]  低電力受信機が位相を区別しない場合があるため、それは、元の論理１および０に対応する２つの振幅レベルＡおよび０だけを検出し得る。ゆえに、送信機は、３値ＯＯＫを使用して送信し得、受信機は、２値ＯＯＫを使用して、メッセージを復調し得る。結果として、ＲＦ信号の周波数ドメインにおいて、キャリア周波数に強い狭帯域信号はもはや存在しないであろう。これは、規制上の最小帯域幅規格を満たすことができる、より広い帯域の信号に帰着し得る。これは、送信機が、より高い電力レベルで送信することを可能にし得、ゆえに、より長い範囲を提供する。
【００６４】
[0073]  図６は、本開示の様々な態様に係る、超低電力ワイヤレス受信機のためのＰＨＹレイヤのために構成されたワイヤレスデバイス６００のブロック図を示す。ワイヤレスデバイス６００は、図１−４に関連して説明されたワイヤレスデバイス１１５の態様の例であり得る。ワイヤレスデバイス６００は、入力６０５、コンパニオン無線機６１０、プライマリ無線機６１２、または出力６１５を含み得る。入力６０５および出力６１５は、１つまたは複数のアンテナアレイを含み得る。ワイヤレスデバイス６００はまた、プロセッサを含み得る。これらの構成要素の各々は、互いと通信状態にあり得る。
【００６５】
[0074]  ワイヤレスデバイス６００の構成要素は、個々にまたは集合的に、ハードウェアにおいて適用可能な機能のうちのいくつかまたは全てを行うように適合された少なくとも１つの特定用途向け集積回路（ＡＳＩＣ）で実現され得る。代替的に、機能は、少なくとも１つのＩＣ上で、１つまたは複数の他の処理ユニット（または、コア）によって行われ得る。他の例では、他のタイプの集積回路（例えば、構造化／プラットフォームＡＳＩＣ、フィールドプログラマブルゲートアレイ（ＦＰＧＡ）、および別の半カスタムＩＣ）が使用され得、これらは、当技術分野において知られている任意の方法でプログラムされ得る。各ユニットの機能はまた、全体的にあるいは部分的に、メモリにおいて具現化された命令により実現され、１つまたは複数の汎用または専用プロセッサによって実行されるようにフォーマットされ得る。
【００６６】
[0075]  入力６０５は、様々な情報チャネル（例えば、制御チャネル、データチャネル、および超低電力ワイヤレス受信機のためのＰＨＹレイヤに関する情報、等）に関連付けられたパケット、ユーザデータ、または制御情報のような情報を受信し得る。情報は、コンパニオン無線機６１０、プライマリ無線機６１２に、および、ワイヤレスデバイス６００の他の構成要素に伝えられ得る。
【００６７】
[0076]  コンパニオン無線機６１０は、第１の無線機においてウェイクアップメッセージを受信し、デバイス固有シーケンスを取得するために、ウェイクアップメッセージを復号し、デバイス固有シーケンスを復号することに少なくとも部分的に基づいて、第２の無線機をアクティブにし得る。
【００６８】
[0077]  出力６１５は、ワイヤレスデバイス６００の他の構成要素から受信された信号を送信し得る。いくつかの例では、出力６１５は、トランシーバにおいて入力６０５とコロケートされ得る。出力６１５は、単一のアンテナを含み得るか、または、それは、複数のアンテナを含み得る。
【００６９】
[0078]  図７は、本開示の様々な態様に係る、超低電力ワイヤレス受信機のためのＰＨＹレイヤのためのワイヤレスデバイス７００のブロック図を示す。ワイヤレスデバイス７００は、図１−６に関連して説明されたワイヤレスデバイス６００またはワイヤレスデバイス１１５の態様の例であり得る。ワイヤレスデバイス７００は、入力６０５−ａ、コンパニオン無線機６１０−ａ、プライマリ無線機６１２−ａ、または出力６１５−ａを含み得る。ワイヤレスデバイス７００はまた、プロセッサを含み得る。これらの構成要素の各々は、互いと通信状態にあり得る。コンパニオン無線機６１０−ａはまた、ウェイクアップメッセージマネジャ７０５と、デコーダ７１０と、無線機アクティベータ７１５とを含み得る。
【００７０】
[0079]  ワイヤレスデバイス７００の構成要素は、個々にまたは集合的に、ハードウェアにおいて適用可能な機能のうちのいくつかまたは全てを行うように適合された少なくとも１つのＡＳＩＣで行われ得る。代替的に、機能は、少なくとも１つのＩＣ上で、１つまたは複数の他の処理ユニット（または、コア）によって実行され得る。他の例では、他のタイプの集積回路（例えば、構造化／プラットフォームＡＳＩＣ、ＦＰＧＡ、または別の半カスタムＩＣ）が使用され得、これらは、当技術分野において知られている任意の方法でプログラムされ得る。各ユニットの機能はまた、全体的にあるいは部分的に、メモリにおいて具現化された命令により実現され、１つまたは複数の汎用または専用プロセッサによって実行されるようにフォーマットされ得る。
【００７１】
[0080]  入力６０５−ａは、コンパニオン無線機６１０−ａに、および、ワイヤレスデバイス７００の他の構成要素に伝えられ得る情報を受信し得る。コンパニオン無線機６１０−ａは、図６に関連して本明細書で説明された動作を行い得る。出力６１５−ａは、ワイヤレスデバイス７００の他の構成要素から受信された信号を送信し得る。
【００７２】
[0081]  ウェイクアップメッセージマネジャ７０５は、図２−４に関連して本明細書で説明されたように、第１の無線機においてウェイクアップメッセージを受信し得る。いくつかの例では、ウェイクアップメッセージは、プリアンブルと、信号フィールドと、データフィールドとを備え、ここにおいて、デバイス固有シーケンスは、データフィールド内に位置しているであろう。いくつかの例では、プリアンブル、信号フィールド、データフィールド、またはそれらの任意の組み合わせのベースバンド表現のＤＣ値はゼロであり得る。いくつかの例では、信号フィールド、データフィールド、またはそれらの任意の組み合わせは、拡散コードに少なくとも部分的に基づき得る。いくつかの例では、第１の無線機は、低電力受信機であり得る。いくつかの例では、第１の無線機は、超再生受信機（ＳＲＲ）であり得る。いくつかの例では、ウェイクアップメッセージは、プリアンブルと、信号フィールドと、データフィールドとを備え、ここにおいて、デバイス固有シーケンスは、データフィールド内に位置しているであろう。いくつかの例では、プリアンブル、信号フィールド、データフィールド、またはそれらの任意の組み合わせのベースバンド表現のＤＣ値はゼロであり得る。いくつかの例では、信号フィールド、データフィールド、またはそれらの任意の組み合わせは、拡散コードに少なくとも部分的に基づき得る。いくつかの例では、第１の無線機は、低電力受信機であり得る。いくつかの例では、第１の無線機は、超再生受信機（ＳＲＲ）であり得る。
【００７３】
[0082]  デコーダ７１０は、図２−４に関連して本明細書で説明されたように、デバイス固有シーケンスを取得するために、ウェイクアップメッセージを復号し得る。
【００７４】
[0083]  無線機アクティベータ７１５は、図２−４に関連して本明細書で説明されたように、デバイス固有シーケンスを復号することに少なくとも部分的に基づいて、（プライマリ無線機６１２−ａのような）第２の無線機をアクティブにし得る。いくつかの例では、第２の無線機は、第１の無線機よりも高い処理能力を有する。いくつかの例では、第２の無線機は、ＷＬＡＮ無線機またはＷＷＡＮ無線機であり得る。
【００７５】
[0084]  図８は、本開示の様々な態様に係る、超低電力ワイヤレス受信機のためのＰＨＹレイヤのためのワイヤレスデバイス６００またはワイヤレスデバイス７００の構成要素であり得るコンパニオン無線機６１０−ｂのブロック図８００を示す。コンパニオン無線機６１０−ｂは、図６−７に関連して説明されたコンパニオン無線機６１０の態様の例であり得る。コンパニオン無線機６１０−ｂは、ウェイクアップメッセージマネジャ７０５−ａと、デコーダ７１０−ａと、無線機アクティベータ７１５−ａとを含み得る。これらの構成要素の各々は、図７に関連して本明細書で説明された機能を行い得る。コンパニオン無線機６１０−ｂはまた、プリアンブル検出器８０５と、信号フィールド検出器８１０と、データ検出器８１５と、ＯＯＫ復調器８２０とを含み得る。
【００７６】
[0085]  コンパニオン無線機６１０−ｂの構成要素は、個々にまたは集合的に、ハードウェアにおいて適用可能な機能のうちのいくつかまたは全てを行うように適合された少なくとも１つのＡＳＩＣで実現され得る。代替的に、機能は、少なくとも１つのＩＣ上で、１つまたは複数の他の処理ユニット（または、コア）によって行われ得る。他の例では、他のタイプの集積回路（例えば、構造化／プラットフォームＡＳＩＣ、ＦＰＧＡ、または別の半カスタムＩＣ）が使用され得、これらは、当技術分野において知られている任意の方法でプログラムされ得る。各ユニットの機能はまた、全体的にあるいは部分的に、メモリにおいて具現化された命令により実現され、１つまたは複数の汎用または専用プロセッサによって実行されるようにフォーマットされ得る。
【００７７】
[0086]  プリアンブル検出器８０５は、図２−４に関連して本明細書で説明されたように、プリアンブルが、ＡＧＣフィールドと、ＰＮフィールドとを含み得るように構成され得る。
【００７８】
[0087]  信号フィールド検出器８１０は、図２−４に関連して本明細書で説明されたように、信号フィールドがデータフィールドの長さを示すように構成され得る。
【００７９】
[0088]  データ検出器８１５は、図２−４に関連して本明細書で説明されたように、データフィールドが、物理レイヤサービスデータユニット（ＰＳＤＵ）と、ゼロ値ビットのテールとを含み得るように構成され得る。
【００８０】
[0089]  ＯＯＫ復調器８２０は、ＯＯＫ変調を使用してウェイクアップメッセージを復調し得、ここにおいて、図２−４に関連して本明細書で説明されたように、ウェイクアップメッセージを復号することは、復調に少なくとも部分的に基づく。
【００８１】
[0090]  図９は、本開示の様々な態様に係る、超低電力ワイヤレス受信機のためのＰＨＹレイヤのために構成されたワイヤレスデバイス１１５を含むシステム９００の図を示す。システム９００は、ワイヤレスデバイス１１５−ｃを含み得、これは、図１、２、および６−８に関連して本明細書で説明されたワイヤレスデバイス６００、ワイヤレスデバイス７００、またはワイヤレスデバイス１１５の例であり得る。ワイヤレスデバイス１１５−ｃは、コンパニオン無線機９１０と、プライマリ無線機９２５とを含み得、これは、図６−８に関連付けられた説明されたコンパニオン無線機６１０およびプライマリ無線機６１２の例であり得る。ワイヤレスデバイス１１５−ｃは、通信を送信するための構成要素および通信を受信するための構成要素を含む、双方向の音声およびデータ通信のための構成要素を含み得る。例えば、ワイヤレスデバイス１１５−ｃは、ＡＰ１０５−ｃと双方向で通信し得る、
[0091]  ワイヤレスデバイス１１５−ｃはまた、プロセッサ９０５と、（ソフトウェア（ＳＷ）を含む）９２０メモリ９１５とを含み得、それらの各々は、（例えば、バス９４５を介して）直接的または間接的に互いと通信し得る。ワイヤレスデバイス１１５−ｃはまた、１つまたは複数のアンテナ９４０を含み得る。ワイヤレスデバイス１１５−ｃは、上で説明されたように、アンテナ９４０またはワイヤードもしくはワイヤレスリンクを介して、１つまたは複数のネットワークと双方向で通信し得る。例えば、ワイヤレスデバイス１１５−ｃは、ＡＰ１０５または別のワイヤレスデバイス１１５と双方向で通信し得る。ワイヤレスデバイス１１５−ｃは、パケットを変調し、変調されたパケットを送信のためにアンテナ９４０に提供し、アンテナ９４０から受信されたパケットを復調するためのモデムを含み得る。ワイヤレスデバイス１１５−ｃは、単一のアンテナ９４０を含み得るが、ワイヤレスデバイス１１５−ｃはまた、複数のワイヤレス送信を同時に送信または受信することが可能な複数のアンテナ９４０を有し得る。
【００８２】
[0092]  メモリ９１５は、ランダムアクセスメモリ（ＲＡＭ）および読取専用メモリ（ＲＯＭ）を含み得る。メモリ９１５は、実行されると、本明細書で説明された様々な機能（例えば、超低電力ワイヤレス受信機のためのＰＨＹレイヤ、等）を行うことをプロセッサ９０５にさせる命令を含むコンピュータ読取可能でコンピュータ実行可能なソフトウェア／ファームウェアコード９２０を記憶し得る。代替的に、ソフトウェア／ファームウェアコード９２０は、プロセッサ９０５によって直接的に実行可能ではない場合があるが、（例えば、コンパイルして実行されると）本明細書で説明された機能を行うことをコンピュータにさせ得る。プロセッサ９０５は、インテリジェントハードウェアデバイス（例えば、中央処理装置（ＣＰＵ）、マイクロコントローラ、ＡＳＩＣ、等）を含み得る。
【００８３】
[0093]  図１０は、本開示の様々な態様に係る、超低電力ワイヤレス受信機のためのＰＨＹレイヤのために構成されたワイヤレスデバイス１０００のブロック図を示す。ワイヤレスデバイス１０００は、図１−９に関連して説明されたＡＰ１０５の態様の例であり得る。ワイヤレスデバイス１０００は、受信機１００５、ＡＰコンパニオン無線機１０１０、または送信機１０１５を含み得る。ワイヤレスデバイス１０００はまた、プロセッサを含み得る。これらの構成要素の各々は、互いと通信状態にあり得る。
【００８４】
[0094]  ワイヤレスデバイス１０００の構成要素は、個々にまたは集合的に、ハードウェアにおいて適用可能な機能のうちのいくつかまたは全てを行うように適合された少なくとも１つのＡＳＩＣで実現され得る。代替的に、機能は、少なくとも１つのＩＣ上で、１つまたは複数の他の処理ユニット（または、コア）によって行われ得る。他の例では、他のタイプの集積回路（例えば、構造化／プラットフォームＡＳＩＣ、ＦＰＧＡ、または別の半カスタムＩＣ）が使用され得、これらは、当技術分野において知られている任意の方法でプログラムされ得る。各ユニットの機能はまた、全体的にあるいは部分的に、メモリにおいて具現化された命令により実現され、１つまたは複数の汎用または専用プロセッサによって実行されるようにフォーマットされ得る。
【００８５】
[0095]  受信機１００５は、様々な情報チャネル（例えば、制御チャネル、データチャネル、および超低電力ワイヤレス受信機のためのＰＨＹレイヤに関する情報、等）に関連付けられたパケット、ユーザデータ、または制御情報のような情報を受信し得る。情報は、ＡＰコンパニオン無線機１０１０に、および、ワイヤレスデバイス１０００の他の構成要素に伝えられ得る。
【００８６】
[0096]  ＡＰコンパニオン無線機１０１０は、ワイヤレスデバイスのための保留通信を識別し、デバイス固有シーケンスを備えるウェイクアップメッセージをワイヤレスデバイスの第１の無線機に送信し、保留通信とウェイクアップメッセージとに少なくとも部分的に基づいて、ワイヤレスデバイスの第２の無線機とデータを交換し得る。
【００８７】
[0097]  送信機１０１５は、ワイヤレスデバイス１０００の他の構成要素から受信された信号を送信し得る。いくつかの例では、送信機１０１５は、トランシーバにおいて受信機１００５とコロケートされ得る。送信機１０１５は、単一のアンテナを含み得るか、または、それは、複数のアンテナを含み得る。
【００８８】
[0098]  図１１は、本開示の様々な態様に係る、超低電力ワイヤレス受信機のためのＰＨＹレイヤのためのワイヤレスデバイス１１００のブロック図を示す。ワイヤレスデバイス１１００は、図１−１０に関連して説明されたワイヤレスデバイス１０００またはＡＰ１０５の態様の例であり得る。ワイヤレスデバイス１１００は、受信機１００５−ａ、ＡＰコンパニオン無線機１０１０−ａ、または送信機１０１５−ａを含み得る。ワイヤレスデバイス１１００はまた、プロセッサを含み得る。これらの構成要素の各々は、互いと通信状態にあり得る。ＡＰコンパニオン無線機１０１０−ａはまた、保留通信マネジャ１１０５と、ＡＰウェイクアップメッセージマネジャ１１１０と、通信マネジャ１１１５とを含み得る。
【００８９】
[0099]  ワイヤレスデバイス１１００の構成要素は、個々にまたは集合的に、ハードウェアにおいて適用可能な機能のうちのいくつかまたは全てを行うように適合された少なくとも１つのＡＳＩＣで実現され得る。代替的に、機能は、少なくとも１つのＩＣ上で、１つまたは複数の他の処理ユニット（または、コア）によって行われ得る。他の例では、他のタイプの集積回路（例えば、構造化／プラットフォームＡＳＩＣ、ＦＰＧＡ、または別の半カスタムＩＣ）が使用され得、これらは、当技術分野において知られている任意の方法でプログラムされ得る。各ユニットの機能はまた、全体的にあるいは部分的に、メモリにおいて具現化された命令により実現され、１つまたは複数の汎用または専用プロセッサによって実行されるようにフォーマットされ得る。
【００９０】
[0100]  受信機１００５−ａは、ＡＰコンパニオン無線機１０１０−ａに、および、ワイヤレスデバイス１１００の他の構成要素に伝えられ得る情報を受信し得る。ＡＰコンパニオン無線機１０１０−ａは、図１０に関連して本明細書で説明された動作を行い得る。送信機１０１５−ａは、ワイヤレスデバイス１１００の他の構成要素から受信された信号を送信し得る。
【００９１】
[0101]  保留通信マネジャ１１０５は、図２−４に関連して本明細書で説明されたように、ワイヤレスデバイスのための保留通信を識別し得る。
【００９２】
[0102]  ＡＰウェイクアップメッセージマネジャ１１１０は、図２−４に関連して本明細書で説明されたように、デバイス固有シーケンスを備えるウェイクアップメッセージをワイヤレスデバイスの第１の無線機に送信し得る。
【００９３】
[0103]  通信マネジャ１１１５は、図２−４に関連して本明細書で説明されたように、保留通信とウェイクアップメッセージとに少なくとも部分的に基づいて、ワイヤレスデバイスの第２の無線機とデータを交換し得る。いくつかの例では、第２の無線機は、第１の無線機よりも高い処理能力を有する。いくつかの例では、第２の無線機は、ＷＬＡＮ無線機またはＷＷＡＮ無線機であり得る。
【００９４】
[0104]  図１２は、本開示の様々な態様に係る、超低電力ワイヤレス受信機のためのＰＨＹレイヤのためのワイヤレスデバイス１０００またはワイヤレスデバイス１１００の構成要素であり得るＡＰコンパニオン無線機１０１０−ｂのブロック図１２００を示す。ＡＰコンパニオン無線機１０１０−ｂは、図１０−１１に関連して説明されたＡＰコンパニオン無線機１０１０の態様の例であり得る。ＡＰコンパニオン無線機１０１０−ｂはまた、保留通信マネジャ１１０５−ａと、ＡＰウェイクアップメッセージマネジャ１１１０−ａと、通信マネジャ１１１５−ａとを含み得る。これらの構成要素の各々は、図１１に関連して本明細書で説明された機能を行い得る。ＡＰコンパニオン無線機１０１０−ｂはまた、プリアンブルジェネレータ１２０５と、信号フィールドジェネレータ１２１０と、データフィールドジェネレータ１２１５と、ＯＯＫ変調器１２２０とを含み得る。
【００９５】
[0105]  ＡＰコンパニオン無線機１０１０−ｂの構成要素は、個々にまたは集合的に、ハードウェアにおいて適用可能な機能のうちのいくつかまたは全てを行うように適合された少なくとも１つのＡＳＩＣで実現され得る。代替的に、機能は、少なくとも１つのＩＣ上で、１つまたは複数の他の処理ユニット（または、コア）によって行われ得る。他の例では、他のタイプの集積回路（例えば、構造化／プラットフォームＡＳＩＣ、ＦＰＧＡ、または別の半カスタムＩＣ）が使用され得、これらは、当技術分野において知られている任意の方法でプログラムされ得る。各ユニットの機能はまた、全体的にあるいは部分的に、メモリにおいて具現化された命令により実現され、１つまたは複数の汎用または専用プロセッサによって実行されるようにフォーマットされ得る。
【００９６】
[0106]  プリアンブルジェネレータ１２０５は、図２−４に関連して本明細書で説明されたように、プリアンブルが、ＡＧＣフィールドと、ＰＮフィールドとを含み得るように構成され得る。
【００９７】
[0107]  信号フィールドジェネレータ１２１０は、図２−４に関連して本明細書で説明されたように、信号フィールドがデータフィールドの長さを示すように構成され得る。
【００９８】
[0108]  データフィールドジェネレータ１２１５は、図２−４に関連して本明細書で説明されたように、データフィールドが、物理レイヤサービスデータユニット（ＰＳＤＵ）と、ゼロ値ビットのテールとを含み得るように構成され得る。
【００９９】
[0109]  ＯＯＫ変調器１２２０は、ＯＯＫ変調を使用してウェイクアップメッセージを変調し得、ここにおいて、図２−４に関連して本明細書で説明されたように、ウェイクアップメッセージを送信することは、変調に少なくとも部分的に基づく。
【０１００】
[0110]  図１３は、本開示の様々な態様に係る、超低電力ワイヤレス受信機のためのＰＨＹレイヤに対して構成されたＡＰ１０５を含むシステム１３００の図を示す。システム１３００は、ＡＰ１０５−ｄを含み得、これは、図１、２、および１０−１２に関連して本明細書で説明されたワイヤレスデバイス１０００、ワイヤレスデバイス１１００、またはＡＰ１０５の例であり得る。ＡＰ１０５−ｄは、ＡＰコンパニオン無線機１３１０を含み得、これは、図１０−１２に関連して説明されたＡＰコンパニオン無線機１０１０の例であり得る。ＡＰ１０５−ｄは、通信を送信するための構成要素および通信を受信するための構成要素を含む、双方向の音声およびデータ通信のための構成要素を含み得る。例えば、ＡＰ１０５−ｄは、ワイヤレスデバイス１１５−ｄまたはワイヤレスデバイス１１５−ｅと双方向で通信し得る。
【０１０１】
[0111]  いくつかのケースでは、ＡＰ１０５−ｄは、１つまたは複数のワイヤードバックホールリンク有し得る。ＡＰ１０５−ｄは、コアネットワーク１３０へのワイヤードバックホールリンク（例えば、Ｓ１インターフェース、等）を有し得る。ＡＰ１０５−ｄはまた、ＡＰ間バックホールリンクを介して、ＡＰ１０５−ｅおよびＡＰ１０５−ｆのような他のＡＰ１０５と通信し得る。いくつかのケースでは、ＡＰ１０５−ｄは、異なる無線アクセス技術を使用して、異なるＡＰ１０５と通信し得る。例えば、１０５−ｅは、ＷＷＡＮ  ＡＰ１０５であり得、ＡＰ１０５−ｆは、ＷＬＡＮ  ＡＰ１０５であり得る。ＡＰ１０５の各々は、同じまたは異なるワイヤレス通信技術を使用してワイヤレスデバイス１１５と通信し得る。いくつかのケースでは、ＡＰ１０５−ｄは、ＡＰ通信構成要素１３２５を利用するＡＰ１０５−ｅまたは１０５−ｆのような他のＡＰと通信し得る。いくつかの例では、ＡＰ通信構成要素１３２５は、ＡＰ１０５のうちのいくつか間で通信を提供するために、ロングタームエボリューション（ＬＴＥ（登録商標））／ＬＥＴ−Ａワイヤレス通信ネットワーク技法内でＸ２インターフェースを提供し得る。いくつかのケースでは、ＡＰ１０５−ｄは、ネットワーク通信構成要素１３３０を通じてコアネットワーク１３０と通信し得る。
【０１０２】
[0112]  ＡＰ１０５−ｄは、プロセッサ１３０５と、（ソフトウェア（ＳＷ）１３２０を含む）メモリ１３１５と、トランシーバ１３３５と、アンテナ１３４０とを含み得、それは各々、（例えば、バスシステム１３４５を通して）直接的または間接的に互いと通信状態にあり得る。トランシーバ１３３５は、アンテナ１３４０を介して、ワイヤレスデバイス１１５と双方向で通信するように構成され得、これは、マルチモードデバイスであり得る。トランシーバ１３３５（または、ＡＰ１０５−ｄの他の構成要素）はまた、アンテナ１３４０を介して、１つまたは複数の他のＡＰ（図示されない）と双方向で通信するように構成され得る。トランシーバ１３３５は、パケットを変調してその変調されたパケットを送信のためのアンテナ１３４０に提供することと、アンテナ１３４０から受信されたパケットを復調することとを行うように構成されたモデムを含み得る。ＡＰ１０５−ｄは、各々が１つまたは複数の関連アンテナ１３４０を有する複数のトランシーバ１３３５を含み得る。トランシーバは、図１０の組み合わされた受信機１００５および送信機１０１５の例であり得る。
【０１０３】
[0113]  メモリ１３１５は、ＲＡＭおよびＲＯＭを含み得る。メモリ１３１５はまた、実行されると、本明細書で説明された様々な機能（例えば、超低電力ワイヤレス受信機のためのＰＨＹレイヤ、カバレッジ強化技法を選択すること、呼処理、データベース管理、メッセージルーティング、等）を行うことをプロセッサ１３０５にさせるように構成された命令を含むコンピュータ読取可能かつコンピュータ実行可能なソフトウェア１３２０を記憶し得る。代替的に、ソフトウェア１３２０は、プロセッサ１３０５によって直接的に実行可能ではない場合があるが、例えば、コンパイルして実行されると、本明細書で説明された機能を行うことをコンピュータにさせるように構成され得る。プロセッサ１３０５は、インテリジェントハードウェアデバイス、例えば、ＣＰＵ、マイクロコントローラ、ＡＳＩＣ、等を含み得る。プロセッサ１３０５は、エンコーダ、キュー処理構成要素、ベースバンドプロセッサ、ラジオヘッドコントローラ、デジタルシグナルプロセッサ（ＤＳＰ）、等のような、様々な専用プロセッサを含み得る。
【０１０４】
[0114]  ＡＰ通信構成要素１３２５は、他のＡＰ１０５との通信を管理し得る。ＡＰ通信構成要素１３２５は、他のＡＰ１０５と協力して、ワイヤレスデバイス１１５との通信を制御するためのコントローラまたはスケジューラを含み得る。例えば、ＡＰ通信構成要素１３２５は、ビームフォーミングまたは共同送信のような様々な干渉緩和技法のために、ワイヤレスデバイス１１５への送信についてのスケジューリングを調整し得る。
【０１０５】
[0115]  図１４は、本開示の様々な態様に係る、超低電力ワイヤレス受信機のためのＰＨＹレイヤのための方法１４００を例示するフローチャートを示す。方法１４００の動作は、図１−１３に関連して説明されたように、ワイヤレスデバイス１１５またはその構成要素によって実現され得る。例えば、方法１４００の動作は、図５−９に関連して説明されたように、コンパニオン無線機６１０によって行われ得る。いくつかの例では、ワイヤレスデバイス１１５は、以下で説明される機能を行うためにワイヤレスデバイス１１５の機能的要素を制御するためのコードのセットを実行し得る。追加的または代替的に、ワイヤレスデバイス１１５は、専用ハードウェアを使用して以下で説明される機能態様を行い得る。
【０１０６】
[0116]  ブロック１４０５において、ワイヤレスデバイス１１５は、図２−４に関連して本明細書で説明されたように、第１の無線機においてウェイクアップメッセージを受信し得る。特定の例では、ブロック１４０５の動作は、図７に関連して本明細書で説明されたように、ウェイクアップメッセージマネジャ７０５によって行われ得る。
【０１０７】
[0117]  ブロック１４１０において、ワイヤレスデバイス１１５は、図２−４に関連して本明細書で説明されたように、デバイス固有シーケンスを取得するために、ウェイクアップメッセージを復号し得る。特定の例では、ブロック１４１０の動作は、図７に関連して本明細書で説明されたように、デコーダ７１０によって行われ得る。
[0118]  ブロック１４１５において、ワイヤレスデバイス１１５は、図２−４に関連して本明細書で説明されたように、デバイス固有シーケンスを復号することに少なくとも部分的に基づいて、第２の無線機をアクティブにし得る。特定の例では、ブロック１４１５の動作は、図７に関連して本明細書で説明されたように、無線機アクティベータ７１５によって行われ得る。
【０１０８】
[0119]  図１５は、本開示の様々な態様に係る、超低電力ワイヤレス受信機のためのＰＨＹレイヤのための方法１５００を例示するフローチャートを示す。方法１５００の動作は、図１−１３に関連して説明されたように、ワイヤレスデバイス１１５またはその構成要素によって実現され得る。例えば、方法１５００の動作は、図５−９に関連して説明されたように、コンパニオン無線機６１０によって行われ得る。いくつかの例では、ワイヤレスデバイス１１５は、以下で説明される機能を行うためにワイヤレスデバイス１１５の機能的要素を制御するためのコードのセットを実行し得る。追加的または代替的に、ワイヤレスデバイス１１５は、専用ハードウェアを使用して以下で説明される機能態様を行い得る。方法１５００は、図１４の方法１４００の態様も組み込み得る。
【０１０９】
[0120]  ブロック１５０５において、ワイヤレスデバイス１１５は、図２−４に関連して本明細書で説明されたように、第１の無線機においてウェイクアップメッセージを受信し得る。特定の例では、ブロック１５０５の動作は、図７に関連して本明細書で説明されたように、ウェイクアップメッセージマネジャ７０５によって行われ得る。
【０１１０】
[0121]  ブロック１５１０において、ワイヤレスデバイス１１５は、ＯＯＫ変調を使用してウェイクアップメッセージを復調し得、ここにおいて、図２−４に関連して本明細書で説明されたように、ウェイクアップメッセージを復号することは、復調に少なくとも部分的に基づく。特定の例では、ブロック１５１０の動作は、図８に関連して本明細書で説明されたように、ＯＯＫ復調器８２０によって行われ得る。
【０１１１】
[0122]  ブロック１５１５において、ワイヤレスデバイス１１５は、図２−４に関連して本明細書で説明されたように、デバイス固有シーケンスを取得するために、ウェイクアップメッセージを復号し得る。特定の例では、ブロック１５１５の動作は、図７に関連して本明細書で説明されたように、デコーダ７１０によって行われ得る。
【０１１２】
[0123]  ブロック１５２０において、ワイヤレスデバイス１１５は、図２−４に関連して本明細書で説明されたように、デバイス固有シーケンスを復号することに少なくとも部分的に基づいて、第２の無線機をアクティブにし得る。特定の例では、ブロック１５２０の動作は、図７に関連して本明細書で説明されたように、無線機アクティベータ７１５によって行われ得る。
【０１１３】
[0124]  図１６は、本開示の様々な態様に係る、超低電力ワイヤレス受信機のためのＰＨＹレイヤのための方法１６００を例示するフローチャートを示す。方法１６００の動作は、図１−１３に関連して説明されたように、ＡＰ１０５またはその構成要素によって実現され得る。例えば、方法１６００の動作は、図１０−１３に関連して説明されたように、ＡＰコンパニオン無線機１０１０によって行われ得る。いくつかの例では、ＡＰ１０５は、以下で説明される機能を行うためにＡＰ１０５の機能的要素を制御するためのコードのセットを実行し得る。追加的または代替的に、ＡＰ１０５は、専用ハードウェアを使用して以下で説明される機能態様を行い得る。方法１６００はまた、図１４−１５の方法１４００および１５００の態様を組み込み得る。
【０１１４】
[0125]  ブロック１６０５において、ＡＰ１０５は、図２−４に関連して本明細書で説明されたように、ワイヤレスデバイスのための保留通信を識別し得る。特定の例では、ブロック１６０５の動作は、図１１に関連して本明細書で説明されたように、保留通信マネジャ１１１５によって行われ得る。
【０１１５】
[0126]  ブロック１６１０において、ＡＰ１０５は、図２−４に関連して本明細書で説明されたように、デバイス固有シーケンスを備えるウェイクアップメッセージをワイヤレスデバイスの第１の無線機に送信し得る。特定の例では、ブロック１６１０の動作は、図１１に関連して本明細書で説明されたように、ＡＰウェイクアップメッセージマネジャ１１１０によって行われ得る。
【０１１６】
[0127]  ブロック１６１５において、ＡＰ１０５は、図２−４に関連して本明細書で説明されたように、保留通信とウェイクアップメッセージとに少なくとも部分的に基づいて、ワイヤレスデバイスの第２の無線機とデータを交換し得る。特定の例では、ブロック１６１５の動作は、図１１に関連して本明細書で説明されたように、通信マネジャ１１１５によって行われ得る。
【０１１７】
[0128]  図１７は、本開示の様々な態様に係る、超低電力ワイヤレス受信機のためのＰＨＹレイヤのための方法１７００を例示するフローチャートを示す。方法１７００の動作は、図１−１３に関連して説明されたように、ＡＰ１０５またはその構成要素によって実現され得る。例えば、方法１７００の動作は、図１０−１３に関連して説明されたように、ＡＰコンパニオン無線機１０１０によって行われ得る。いくつかの例では、ＡＰ１０５は、以下で説明される機能を行うためにＡＰ１０５の機能的要素を制御するためのコードのセットを実行し得る。追加的または代替的に、ＡＰ１０５は、専用ハードウェアを使用して以下で説明される機能態様を行い得る。方法１７００はまた、図１４−１６の方法１４００、１５００、および１６００の態様を組み込み得る。
【０１１８】
[0129]  ブロック１７０５において、ＡＰ１０５は、図２−４に関連して本明細書で説明されたように、ワイヤレスデバイスのための保留通信を識別し得る。特定の例では、ブロック１７０５の動作は、図１１に関連して本明細書で説明されたように、保留通信マネジャ１１１５によって行われ得る。
【０１１９】
[0130]  ブロック１７１０において、ＡＰ１０５は、ＯＯＫ変調を使用してウェイクアップメッセージを変調し得、ここにおいて、図２−４に関連して本明細書で説明されたように、ウェイクアップメッセージを送信することは、変調に少なくとも部分的に基づく。特定の例では、ブロック１７１０の動作は、図１２に関連して本明細書で説明されたように、ＯＯＫ変調器１２２０によって行われ得る。
【０１２０】
[0131]  ブロック１７１５において、ＡＰ１０５は、図２−４に関連して本明細書で説明されたように、デバイス固有シーケンスを備えるウェイクアップメッセージをワイヤレスデバイスの第１の無線機に送信し得る。特定の例では、ブロック１７１５の動作は、図１１に関連して本明細書で説明されたように、ＡＰウェイクアップメッセージマネジャ１１１０によって行われ得る。
【０１２１】
[0132]  ブロック１７２０において、ＡＰ１０５は、図２−４に関連して本明細書で説明されたように、保留通信とウェイクアップメッセージとに少なくとも部分的に基づいて、ワイヤレスデバイスの第２の無線機とデータを交換し得る。特定の例では、ブロック１７２０の動作は、図１１に関連して本明細書で説明されたように、通信マネジャ１１１５によって行われ得る。
【０１２２】
[0133]  ゆえに、方法１４００、１５００、１６００、および１７００は、超低電力ワイヤレス受信機のためのＰＨＹレイヤを提供し得る。方法１４００、１５００、１６００、および１７００が、可能な実現を説明していること、および、動作およびステップが、他の実現が可能なように再配置されるか他の方法で修正され得ることに留意されるべきである。いくつかの例では、方法１４００、１５００、１６００、および１７００のうちの２つ以上からの態様が組み合わせられ得る。
【０１２３】
[0134]  追加の図面に関連して上で示された詳細な説明は、例示的な構成を説明しており、実現され得るまたは特許請求の範囲内にある全ての例を表すものではない。この説明全体にわたって使用される「例示的」という用語は、「好ましい」または「他の例よりも有利である」ということではなく、「例、事例、または例示としての役目をする」を意味する。詳細な説明は、説明された技法の理解を与えるために特定の詳細を含む。しかしながら、これらの技法は、これらの特定の詳細なしに実践され得る。いくつかの事例では、周知の構造およびデバイスは、説明される例の概念を暖味にしないために、ブロック図の形式で示されている。
【０１２４】
[0135]  情報および信号は、多種多様な技術および技法のうちの任意のものを使用して表され得る。例えば、上記説明の全体にわたって参照され得るデータ、命令、コマンド、情報、信号、ビット、シンボル、およびチップは、電圧、電流、電磁波、磁場または磁性粒子、光場または光粒子、あるいはこれらの任意の組み合わせによって表され得る。
【０１２５】
[0136]  本明細書における開示に関連して説明された実例となる様々なブロックおよび構成要素は、汎用プロセッサ、ＤＳＰ、ＡＳＩＣ、ＦＰＧＡまたは他のプログラマブル論理デバイス、ディスクリートゲートまたはトランジスタ論理、ディスクリートハードウェア構成要素、あるいは本明細書で説明された機能を行うように設計されたそれらの任意の組み合わせで実現または行われ得る。汎用プロセッサは、マイクロプロセッサであり得るが、代替的に、プロセッサは、任意の従来のプロセッサ、コントローラ、マイクロコントローラ、またはステートマシンであり得る。プロセッサはまた、コンピューティングデバイスの組み合わせ（例えば、ＤＳＰと、１つのマイクロプロセッサ、複数のマイクロプロセッサ、ＤＳＰコアに連結した１つまたは複数のマイクロプロセッサ、あるいは任意の他のそのような構成との組み合わせ）として実現され得る。
【０１２６】
[0137]  本明細書で説明された機能は、ハードウェア、プロセッサによって実行されるソフトウェア、ファームウェア、またはそれらの任意の組み合わせにおいて実現され得る。プロセッサによって実行されるソフトウェアで実現される場合、これら機能は、コンピュータ読取可能な媒体上で、１つまたは複数の命令またはコードとして送信または記憶され得る。他の例および実現は、本開示および添付の特許請求の範囲内である。例えば、ソフトウェアの性質に起因して、上述された機能は、プロセッサによって実行されるソフトウェア、ハードウェア、ファームウェア、配線、またはこれらのうちの任意のものの組み合わせを使用して実現され得る。機能を実現する特徴はまた、これら機能の一部分が異なる物理的ロケーションにおいて実現されるように分散されることを含めて、物理的に様々な位置に位置している。また、特許請求の範囲を含め、本明細書で使用される場合、項目のリスト（例えば、「〜のうちの少なくとも１つ」または「〜のうちの１つまたは複数」のような表現で始まる項目のリスト）中で使用される場合の「または／あるいは／もしくは」は、例えば、［Ａ、Ｂ、またはＣのうちの少なくとも１つ]  のリストが、Ａか、Ｂか、Ｃか、ＡとＢか、ＡとＣか、ＢとＣか、ＡとＢとＣ（すなわち、Ａ、Ｂ、およびＣ）を意味するような包括的なリストを示す。
【０１２７】
[0138]  コンピュータ読取可能な媒体は、ある箇所から別の箇所へのコンピュータプログラムの移送を容易にする任意の媒体を含む通信媒体および非一時的なコンピュータ記憶媒体の両方を含む。非一時的な記憶媒体は、汎用コンピュータまたは専用コンピュータによってアクセスされ得る任意の入手可能な媒体であり得る。限定ではなく例として、非一時的なコンピュータ読取可能な媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスク記憶装置、磁気ディスク記憶装置または他の磁気記憶デバイス、あるいはデータ構造または命令の形式で所望のプログラムコード手段を記憶または搬送するために使用され得、かつ、汎用もしくは専用コンピュータまたは汎用もしくは専用プロセッサによってアクセスされ得る任意の他の非一時的な媒体を備えることができる。また、いずれの接続も、コンピュータ読取可能な媒体と呼ぶに相応しい。例えば、ソフトウェアが、同軸ケーブル、光ファイバーケーブル、ツイストペア、デジタル加入者回線（ＤＳＬ）、または赤外線、電波、およびマイクロ波のようなワイヤレス技術を使用して、ウェブサイト、サーバ、または他のリモートソースから送信される場合、この同軸ケーブル、光ファイバーケーブル、ツイストペア、ＤＳＬ、または赤外線、電波、およびマイクロ波のようなワイヤレス技術は、媒体の定義に含まれる。ディスク（disk）およびディスク（disc）は、本明細書で使用される場合、ＣＤ、レーザーディスク（登録商標）、光ディスク、デジタル多用途ディスク（ＤＶＤ）、フロッピー（登録商標）ディスク、およびブルーレイディスクを含み、ここで、ディスク（disk）は、通常磁気的にデータを再生するが、ディスク（disc）は、レーザーを用いて光学的にデータを再生する。上記の組み合わせもまた、コンピュータ読取可能な媒体の範囲内に含まれる。
【０１２８】
[0139]  本開示の先の説明は、当業者が本開示を実現または使用することを可能にするために提供される。本開示に対する様々な修正は、当業者には容易に明らかであり、本明細書で定義された包括的な原理は、本開示の範囲から逸脱することなく他の変形に適用され得る。ゆえに、本開示は、本明細書で説明された例および設計に制限されるべきではなく、本明細書で開示された原理および新規な特徴に合致する最も広い範囲が与えられるべきである。
【図１】
2018509106.tif 000003
【図２】
2018509106.tif 000004
【図３】
2018509106.tif 000005
【図４】
2018509106.tif 000006
【図５】
2018509106.tif 000007
【図６】
2018509106.tif 000008
【図７】
2018509106.tif 000009
【図８】
2018509106.tif 000010
【図９】
2018509106.tif 000011
【図１０】
2018509106.tif 000012
【図１１】
2018509106.tif 000013
【図１２】
2018509106.tif 000014
【図１３】
2018509106.tif 000015
【図１４】
2018509106.tif 000016
【図１５】
2018509106.tif 000017
【図１６】
2018509106.tif 000018
【図１７】
2018509106.tif 000019
【手続補正書】
【提出日】平成29年11月29日(2017.11.29)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第１の無線機においてウェイクアップメッセージを受信することと、ここにおいて、前記ウェイクアップメッセージは、正および負の振幅信号で表されるビットを備える３値オン／オフキーイング（ＯＯＫ）変調を使用して変調される、
デバイス固有シーケンスを取得するために、前記ウェイクアップメッセージを復号することと、
前記デバイス固有シーケンスを復号することに少なくとも部分的に基づいて、第２の無線機をアクティブにすることと
を備える方法。
【請求項２】
前記ウェイクアップメッセージは、プリアンブルと、信号フィールドと、データフィールドとを備え、前記デバイス固有シーケンスは、前記データフィールド内に位置している、請求項１に記載の方法。
【請求項３】
前記プリアンブルは、自動利得制御（ＡＧＣ）フィールドと、擬似ランダムノイズ（ＰＮ）フィールドとを備える、請求項２に記載の方法。
【請求項４】
前記信号フィールドは、前記データフィールドの長さを示す、請求項２に記載の方法。
【請求項５】
前記データフィールドは、物理レイヤサービスデータユニット（ＰＳＤＵ）と、ゼロ値ビットのテールとを備える、請求項２に記載の方法。
【請求項６】
ワイヤレス通信の方法であって、
ワイヤレスデバイスのための保留通信を識別することと、
デバイス固有シーケンスを備えるウェイクアップメッセージを前記ワイヤレスデバイスの第１の無線機に送信することと、ここにおいて、前記ウェイクアップメッセージは、正および負の振幅で表されるビットを備える３値オン／オフキーイング（ＯＯＫ）変調を使用して変調される、
前記保留通信と前記ウェイクアップメッセージとに少なくとも部分的に基づいて、前記ワイヤレスデバイスの第２の無線機とデータを交換することと
を備える方法。
【請求項７】
前記ウェイクアップメッセージは、プリアンブルと、信号フィールドと、データフィールドとを備え、前記デバイス固有シーケンスは、前記データフィールド内に位置している、請求項６に記載の方法。
【請求項８】
前記プリアンブルは、ＡＧＣフィールドと、ＰＮフィールドとを備える、請求項７に記載の方法。
【請求項９】
前記信号フィールドは、前記データフィールドの長さを示す、請求項７に記載の方法。
【請求項１０】
前記プリアンブル、前記信号フィールド、前記データフィールド、またはそれらの任意の組み合わせのベースバンド表現のＤＣ値はゼロである、請求項７に記載の方法。
【請求項１１】
ワイヤレス通信のための装置であって、
第１の無線機においてウェイクアップメッセージを受信するための手段と、ここにおいて、前記ウェイクアップメッセージは、正および負の振幅で表されるビットを備える３値オン／オフキーイング（ＯＯＫ）変調を使用して変調される、
デバイス固有シーケンスを取得するために、前記ウェイクアップメッセージを復号するための手段と、
前記デバイス固有シーケンスを復号することに少なくとも部分的に基づいて、第２の無線機をアクティブにするための手段と
を備える装置。
【請求項１２】
前記第１の無線機は、前記第２の無線機よりも低い電力を消費する、請求項１２に記載の装置。
【請求項１３】
前記ウェイクアップメッセージは、プリアンブルと、信号フィールドと、データフィールドとを備え、前記デバイス固有シーケンスは、前記データフィールド内に位置している、請求項１１に記載の装置。
【請求項１４】
前記プリアンブルは、自動利得制御（ＡＧＣ）フィールドと、擬似ランダムノイズ（ＰＮ）フィールドとを備える、請求項１３に記載の装置。
【請求項１５】
前記信号フィールドは、前記データフィールドの長さを示す、請求項１３に記載の装置。
【請求項１６】
パリティビットは、前記信号フィールドに追加される、請求項１３に記載の装置。
【請求項１７】
前記プリアンブル、前記信号フィールド、前記データフィールド、またはそれらの任意の組み合わせのベースバンド表現のＤＣ値はゼロである、請求項１３に記載の装置。
【請求項１８】
前記データフィールドは、物理レイヤサービスデータユニット（ＰＳＤＵ）と、ゼロ値ビットのテールとを備える、請求項１３に記載の装置。
【請求項１９】
前記信号フィールド、前記データフィールド、またはそれらの任意の組み合わせは、拡散コードに少なくとも部分的に基づく、請求項１３に記載の装置。
【請求項２０】
ＯＯＫ変調を使用して前記ウェイクアップメッセージを復調するための手段をさらに備える、ここにおいて、前記ウェイクアップメッセージを復号することは、前記復調に少なくとも部分的に基づく、請求項１１に記載の装置。
【請求項２１】
前記第１の無線機は、低電力受信機である、請求項１１に記載の装置。
【請求項２２】
前記第１の無線機は、超再生受信機（ＳＲＲ）である、請求項２１に記載の装置。
【請求項２３】
前記第２の無線機は、前記第１の無線機よりも高い処理能力を有する、請求項１１に記載の装置。
【請求項２４】
ワイヤレス通信のための装置であって、
ワイヤレスデバイスのための保留通信を識別するための手段と、
デバイス固有シーケンスを備えるウェイクアップメッセージを前記ワイヤレスデバイスの第１の無線機に送信するための手段と、ここにおいて、前記ウェイクアップメッセージは、正および負の振幅信号で表されるビットを備える３値オン／オフキーイング（ＯＯＫ）変調を使用して変調される、
前記保留通信と前記ウェイクアップメッセージとに少なくとも部分的に基づいて、前記ワイヤレスデバイスの第２の無線機とデータを交換するための手段と
を備える装置。
【請求項２５】
前記ウェイクアップメッセージは、プリアンブルと、信号フィールドと、データフィールドとを備え、前記デバイス固有シーケンスは、前記データフィールド内に位置している、請求項２４に記載の装置。
【請求項２６】
前記プリアンブルは、ＡＧＣフィールドと、ＰＮフィールドとを備える、請求項２５に記載の装置。
【請求項２７】
前記信号フィールドは、前記データフィールドの長さを示す、請求項２５に記載の装置。
【請求項２８】
前記プリアンブル、前記信号フィールド、前記データフィールド、またはそれらの任意の組み合わせのベースバンド表現のＤＣ値はゼロである、請求項２５に記載の装置。
【請求項２９】
前記データフィールドは、物理レイヤサービスデータユニット（ＰＳＤＵ）と、ゼロ値ビットのテールとを備える、請求項２５に記載の装置。
【請求項３０】
前記信号フィールド、前記データフィールド、またはそれらの任意の組み合わせは、拡散コードに少なくとも部分的に基づく、請求項２５に記載の装置。
【手続補正２】
【補正対象書類名】明細書
【補正対象項目名】０１２８
【補正方法】変更
【補正の内容】
【０１２８】
[0139]  本開示の先の説明は、当業者が本開示を実現または使用することを可能にするために提供される。本開示に対する様々な修正は、当業者には容易に明らかであり、本明細書で定義された包括的な原理は、本開示の範囲から逸脱することなく他の変形に適用され得る。ゆえに、本開示は、本明細書で説明された例および設計に制限されるべきではなく、本明細書で開示された原理および新規な特徴に合致する最も広い範囲が与えられるべきである。
以下に本願の出願当初の特許請求の範囲に記載された発明を付記する。
［Ｃ１］
ワイヤレス通信の方法であって、
第１の無線機においてウェイクアップメッセージを受信することと、ここにおいて、前記ウェイクアップメッセージは、正および負の振幅信号で表されるビットを備える３値オン／オフキーイング（ＯＯＫ）変調を使用して変調される、
デバイス固有シーケンスを取得するために、前記ウェイクアップメッセージを復号することと、
前記デバイス固有シーケンスを復号することに少なくとも部分的に基づいて、第２の無線機をアクティブにすることと
を備える方法。
［Ｃ２］
前記ウェイクアップメッセージは、プリアンブルと、信号フィールドと、データフィールドとを備え、前記デバイス固有シーケンスは、前記データフィールド内に位置している、Ｃ１に記載の方法。
［Ｃ３］
前記プリアンブルは、自動利得制御（ＡＧＣ）フィールドと、擬似ランダムノイズ（ＰＮ）フィールドとを備える、Ｃ２に記載の方法。
［Ｃ４］
前記信号フィールドは、前記データフィールドの長さを示す、Ｃ２に記載の方法。
［Ｃ５］
前記データフィールドは、物理レイヤサービスデータユニット（ＰＳＤＵ）と、ゼロ値ビットのテールとを備える、Ｃ２に記載の方法。
［Ｃ６］
ワイヤレス通信の方法であって、
ワイヤレスデバイスのための保留通信を識別することと、
デバイス固有シーケンスを備えるウェイクアップメッセージを前記ワイヤレスデバイスの第１の無線機に送信することと、ここにおいて、前記ウェイクアップメッセージは、正および負の振幅で表されるビットを備える３値オン／オフキーイング（ＯＯＫ）変調を使用して変調される、
前記保留通信と前記ウェイクアップメッセージとに少なくとも部分的に基づいて、前記ワイヤレスデバイスの第２の無線機とデータを交換することと
を備える方法。
［Ｃ７］
前記ウェイクアップメッセージは、プリアンブルと、信号フィールドと、データフィールドとを備え、前記デバイス固有シーケンスは、前記データフィールド内に位置している、Ｃ６に記載の方法。
［Ｃ８］
前記プリアンブルは、ＡＧＣフィールドと、ＰＮフィールドとを備える、Ｃ７に記載の方法。
［Ｃ９］
前記信号フィールドは、前記データフィールドの長さを示す、Ｃ７に記載の方法。
［Ｃ１０］
前記プリアンブル、前記信号フィールド、前記データフィールド、またはそれらの任意の組み合わせのベースバンド表現のＤＣ値はゼロである、Ｃ７に記載の方法。
［Ｃ１１］
ワイヤレス通信のための装置であって、
第１の無線機においてウェイクアップメッセージを受信するための手段と、ここにおいて、前記ウェイクアップメッセージは、正および負の振幅で表されるビットを備える３値オン／オフキーイング（ＯＯＫ）変調を使用して変調される、
デバイス固有シーケンスを取得するために、前記ウェイクアップメッセージを復号するための手段と、
前記デバイス固有シーケンスを復号することに少なくとも部分的に基づいて、第２の無線機をアクティブにするための手段と
を備える装置。
［Ｃ１２］
前記第２の無線機は、前記第１の無線機よりも低い電力を消費する、Ｃ１２に記載の装置。
［Ｃ１３］
前記ウェイクアップメッセージは、プリアンブルと、信号フィールドと、データフィールドとを備え、前記デバイス固有シーケンスは、前記データフィールド内に位置している、Ｃ１１に記載の装置。
［Ｃ１４］
前記プリアンブルは、自動利得制御（ＡＧＣ）フィールドと、擬似ランダムノイズ（ＰＮ）フィールドとを備える、Ｃ１３に記載の装置。
［Ｃ１５］
前記信号フィールドは、前記データフィールドの長さを示す、Ｃ１３に記載の装置。
［Ｃ１６］
パリティビットは、前記信号フィールドに追加される、Ｃ１３に記載の装置。
［Ｃ１７］
前記プリアンブル、前記信号フィールド、前記データフィールド、またはそれらの任意の組み合わせのベースバンド表現のＤＣ値はゼロである、Ｃ１３に記載の装置。
［Ｃ１８］
前記データフィールドは、物理レイヤサービスデータユニット（ＰＳＤＵ）と、ゼロ値ビットのテールとを備える、Ｃ１３に記載の装置。
［Ｃ１９］
前記信号フィールド、前記データフィールド、またはそれらの任意の組み合わせは、拡散コードに少なくとも部分的に基づく、Ｃ１３に記載の装置。
［Ｃ２０］
ＯＯＫ変調を使用して前記ウェイクアップメッセージを復調するための手段をさらに備える、ここにおいて、前記ウェイクアップメッセージを復号することは、前記復調に少なくとも部分的に基づく、Ｃ１１に記載の装置。
［Ｃ２１］
前記第１の無線機は、低電力受信機である、Ｃ１１に記載の装置。
［Ｃ２２］
前記第１の無線機は、超再生受信機（ＳＲＲ）である、Ｃ２１に記載の装置。
［Ｃ２３］
前記第２の無線機は、前記第１の無線機よりも高い処理能力を有する、Ｃ１１に記載の装置。
［Ｃ２４］
ワイヤレス通信のための装置であって、
ワイヤレスデバイスのための保留通信を識別するための手段と、
デバイス固有シーケンスを備えるウェイクアップメッセージを前記ワイヤレスデバイスの第１の無線機に送信するための手段と、ここにおいて、前記ウェイクアップメッセージは、正および負の振幅信号で表されるビットを備える３値オン／オフキーイング（ＯＯＫ）変調を使用して変調される、
前記保留通信と前記ウェイクアップメッセージとに少なくとも部分的に基づいて、前記ワイヤレスデバイスの第２の無線機とデータを交換するための手段と
を備える装置。
［Ｃ２５］
前記ウェイクアップメッセージは、プリアンブルと、信号フィールドと、データフィールドとを備え、前記デバイス固有シーケンスは、前記データフィールド内に位置している、Ｃ２４に記載の装置。
［Ｃ２６］
前記プリアンブルは、ＡＧＣフィールドと、ＰＮフィールドとを備える、Ｃ２５に記載の装置。
［Ｃ２７］
前記信号フィールドは、前記データフィールドの長さを示す、Ｃ２５に記載の装置。
［Ｃ２８］
前記プリアンブル、前記信号フィールド、前記データフィールド、またはそれらの任意の組み合わせのベースバンド表現のＤＣ値はゼロである、Ｃ２５に記載の装置。
［Ｃ２９］
前記データフィールドは、物理レイヤサービスデータユニット（ＰＳＤＵ）と、ゼロ値ビットのテールとを備える、Ｃ２５に記載の装置。
［Ｃ３０］
前記信号フィールド、前記データフィールド、またはそれらの任意の組み合わせは、拡散コードに少なくとも部分的に基づく、Ｃ２５に記載の装置。
【国際調査報告】
2018509106.tif 000020
2018509106.tif 000021
2018509106.tif 000022